(57)【特許請求の範囲】
【請求項１】
第１のパネル（１０２）と、
前記第１のパネル（１０２）に結合され、ストリンガの対Ａを備える第１のストリンガ（１０６）と、
前記第１のパネル（１０２）の反対側の第２のパネル（１０４）と、
前記第２のパネル（１０４）に結合され、前記第１のストリンガ（１０６）の反対側にある第２のストリンガ（１０８）であって、ストリンガの対Ｂを備える第２のストリンガ（１０８）と、
ブレース（２００）であって、前記ブレース（２００）のそれぞれが、前記第１のストリンガ（１０６）及び前記第２のストリンガ（１０８）に垂直の平面（１１２）に沿ったすべての方向で、前記第１のストリンガ（１０６）の前記ストリンガの対Ａの１つ及び前記第２のストリンガ（１０８）の前記ストリンガの対Ｂの１つに幾何学的にインターロックされる、ブレース（２００）と、
第１の端部（１１４）及び前記第１の端部（１１４）の反対側の第２の端部（１１６）と、
第１の側部（１１８）及び前記第１の側部（１１８）の反対側の第２の側部（１２０）と、
を備え、
前記第１のストリンガ（１０６）及び前記第２のストリンガ（１０８）が、前記第１の端部（１１４）と前記第２の端部（１１６）との間で長手方向（１２２）に延伸し、
前記ブレース（２００）が、前記ブレース（２００）の列（２０８）を備え、
前記ブレース（２００）の前記列（２０８）のそれぞれが、前記第１の側部（１１８）と前記第２の側部（１２０）との間で横方向（１２４）に延伸し、
前記列（２０８）が、前記第１の端部（１１４）と前記第２の端部（１１６）との間で前記長手方向（１２２）に延伸する配列（２１２）の中に配置され、前記列（２０８）の前記配列（２１２）の中の列（２０８）の各１つは、前記長手方向（１２２）に、前記列（２０８）の前記配列（２１２）の中の列（２０８）の他の１つから離隔配置され、
前記ブレース（２００）の前記列（２０８）のそれぞれが、前記ブレース（２００）の少なくとも１つを備える、
を備える、構造（１００）。
【請求項２】
前記ブレース（２００）のそれぞれが、
第１のインターロック（２０４）と、前記第１のインターロック（２０４）の反対側の第２のインターロック（２０６）とを備えるシャーシ（２０２）を備え、
前記第１のインターロック（２０４）が、前記第１のストリンガ（１０６）の前記ストリンガの対Ａの１つに幾何学的に係合され、前記第２のインターロック（２０６）が、前記第２のストリンガ（１０８）の前記ストリンガの対Ｂの１つに幾何学的に係合される、
請求項１に記載の構造（１００）。
【請求項３】
前記ブレース（２００）の前記列（２０８）のそれぞれの前記ブレース（２００）の１つが、前記ブレース（２００）の前記少なくとも１つに横方向に隣接する前記ブレース（２００）の他の１つに結合される、請求項１に記載の構造（１００）。
【請求項４】
前記構造（１００）の前記第１の側部（１１８）に沿って前記第１のパネル（１０２）及び前記第２のパネル（１０４）に結合される第１の翼桁（１２６）と、
前記構造（１００）の前記第２の側部（１２０）に沿って前記第１のパネル（１０２）及び前記第２のパネル（１０４）に結合される第２の翼桁（１２８）とを更に備え、
前記ブレース（２００）の前記列（２０８）のそれぞれが、前記第１の翼桁（１２６）及び前記第２の翼桁（１２８）に結合される、
請求項１〜３のいずれか一項に記載の構造（１００）。
【請求項５】
２つの端部ブレース（２１０）を更に備え、
前記２つの端部ブレース（２１０）の１つが、前記ブレース（２００）の前記列（２０８）の１つの前記ブレース（２００）の１つに結合され、前記２つの端部ブレース（２１０）の他の１つが、前記列（２０８）の１つの前記ブレース（２００）の他の１つに結合され、
前記２つの端部ブレース（２１０）の第１が、前記第１の翼桁（１２６）に結合され、前記２つの端部ブレース（２１０）の第２が、前記第２の翼桁（１２８）に結合される、
請求項４に記載の構造（１００）。
【請求項６】
前記第１の翼桁（１２６）が、第１の翼桁フランジ（１３０）を備え、前記第２の翼桁（１２８）が、第２の翼桁フランジ（１３２）を備え、
前記２つの端部ブレース（２１０）の前記第１が、前記第１の翼桁（１２６）の前記第１の翼桁フランジ（１３０）の１つに接合され、前記２つの端部ブレース（２１０）の前記第２が、前記第２の翼桁（１２８）の前記第２の翼桁フランジ（１３２）の１つに接合される、
請求項５に記載の構造（１００）。
【請求項７】
前記ブレース（２００）のそれぞれが、
第１の端部（２１４）及び前記第１の端部（２１４）の反対側の第２の端部（２１６）と、
前記第１の端部（２１４）と前記第２の端部（２１６）との間に延伸する第１の側部（２１８）、及び前記第１の端部（２１４）と第２の端部（２１６）との間に、前記第１の側部（２１８）の反対側に延伸する第２の側部（２２０）と、
前記第１の端部（２１４）に隣接する２つの第１のコーナ（２２２）と、
前記第２の端部（２１６）に隣接する２つの第２のコーナ（２２４）と
を更に備え、
前記第１のインターロック（２０４）の第１が、前記ブレース（２００）のそれぞれの前記２つの第１のコーナ（２２２）の１つに配置され、第１のインターロック（２０４）の第２が、前記ブレース（２００）のそれぞれの前記２つの第１のコーナ（２２２）の他の１つに配置されており、
前記第２のインターロック（２０６）の第１が、前記ブレース（２００）のそれぞれの前記２つの第２のコーナ（２２４）の１つに配置され、前記第２のインターロック（２０６）の第２が、前記ブレース（２００）のそれぞれの前記２つの第２のコーナ（２２４）の他の１つに配置される、
請求項２に記載の構造（１００）。
【請求項８】
前記ブレース（２００）のそれぞれが、
前記ブレース（２００）のそれぞれの前記第１の側部（２１８）に沿った第１のブレースフランジ（２２６）と、
前記ブレース（２００）のそれぞれの前記第２の側部（２２０）に沿った第２のブレースフランジ（２２８）と
を更に備え、
前記ブレース（２００）の１つの前記第１のブレースフランジ（２２６）が、前記ブレース（２００）の他の１つの前記第２のブレースフランジ（２２８）に接合される、
請求項７に記載の構造（１００）。
【請求項９】
第１のパネル（１０２）と、第２のパネル（１０４）とを備える構造（１００）を製造するための方法（５００）であって、前記方法（５００）が、
前記第１のパネル（１０２）に結合される、第１のストリンガ（１０６）のストリンガの対Ａを、前記第２のパネル（１０４）に結合される、第２のストリンガ（１０８）のストリンガの対Ｂに、前記第１のストリンガ（１０６）および前記第２のストリンガ（１０８）に垂直の平面（１１２）に沿ったすべての方向で、幾何学的にインターロックするステップによって、前記第１のパネル（１０２）と第２のパネル（１０４）とを相互結合するステップと、
ブレース（２００）の列（２０８）を形成するために、前記ブレース（２００）のそれぞれを、前記第１のストリンガ（１０６）の前記ストリンガの対Ａの１つおよび前記第２のストリンガ（１０８）の前記ストリンガの対Ｂの１つに幾何学的にインターロックするステップと、
前記列（２０８）の配列（２１２）の中の列（２０８）の各１つが、長手方向（１２２）に、前記列（２０８）の前記配列（２１２）の中の列（２０８）の他の１つから離隔配置されるように、前記ブレース（２００）の列（２０８）を前記構造の第１の端部（１１４）と第２の端部（１１６）との間で長手方向（１２２）に延伸する配列（２１２）に配置するステップと、
を含み、
前記第１のストリンガ（１０６）及び前記第２のストリンガ（１０８）が、前記構造の前記第１の端部（１１４）と前記第２の端部（１１６）との間で前記長手方向（１２２）に延伸している、方法（５００）。
【請求項１０】
ブレース（２００）を、前記第１のストリンガ（１０６）の前記ストリンガの対Ａおよび前記第２のストリンガ（１０８）の前記ストリンガの対Ｂに幾何学的にインターロックするステップを更に含む、請求項９に記載の方法（５００）。
【請求項１１】
前記ブレース（２００）のそれぞれの第１のインターロック（２０４）を前記第１のストリンガ（１０６）の前記ストリンガの対Ａの１つに幾何学的に係合するステップと、前記ブレース（２００）のそれぞれの第２のインターロック（２０６）を前記第２のストリンガ（１０８）の前記ストリンガの対Ｂの１つに幾何学的に係合するステップとを更に含む、請求項１０に記載の方法（５００）。
【請求項１２】
前記ブレース（２００）の前記列（２０８）の１つの前記ブレース（２００）の１つを、前記ブレース（２００）の前記列（２０８）の前記１つの前記ブレース（２００）の他の１つに結合するステップを更に含む、請求項９〜１１のいずれか一項に記載の方法（５００）。
【請求項１３】
前記構造（１００）の第１の側部（１１８）に沿って前記第１のパネル（１０２）及び前記第２のパネル（１０４）に第１の翼桁（１２６）を結合するステップと、
前記構造（１００）の第２の側部（１２０）に沿って前記第１のパネル（１０２）及び前記第２のパネル（１０４）に第２の翼桁（１２８）を結合するステップと、
前記ブレース（２００）の前記列（２０８）のそれぞれを、前記第１の翼桁（１２６）及び前記第２の翼桁（１２８）に結合するステップと
を更に含む、請求項９〜１２のいずれか一項に記載の方法（５００）。
【発明の詳細な説明】
【背景技術】
【０００１】
いくつかの構造は、荷重を担持し、及び／又はその荷重に作用する複数の支持部材を利用することができる。支持部材は、そのような構造の内側フレームを形成することができる。支持部材は、例えば、様々な種類の梁、補剛材、ストラット、及び／又はブレースを含むことができる。構造のフレームを覆うために、パネルは支持部材に結合され得る。そのような構造の従来の製造技術は、多数の機械的締め具の使用が必要であり、製造の複雑さ、リードタイム及びコストが増加する。
【０００２】
特定の一実施例として、航空機の翼構造は、翼の長さに延伸する多くの細長い補剛材（ストリンガと一般に呼ばれる）、及びストリンガを相互結合するブレース（リブと一般に呼ばれる）を典型的には利用し、それらが組み合わさって翼のフレームを少なくとも部分的に画定する。外部パネル（外装と一般に呼ばれる）は、フレームに結合される。翼構造には、ストリンガにリブを結合し、ストリンガ及び／又はリブに外装を結合するために、精密公差の締め具を多数必要とする可能性がある。
【発明の概要】
【発明が解決しようとする課題】
【０００３】
したがって、少なくとも上記に認識される懸念に対処するように意図される装置及び方法が、有用であろう。
【０００４】
以下は、本開示による主題事項の限定しない実施例の列挙であり、特許請求される可能性があり、又は特許請求されない可能性がある。
【課題を解決するための手段】
【０００５】
本開示の一実施例は、第１のパネルと、第１のパネルに結合され、ストリンガの対Ａを備える第１のストリンガと、第１のパネルの反対側の第２のパネルと、第２のパネルに結合され、第１のストリンガの反対側の第２のストリンガとを備える構造に関する。第２のストリンガが、ストリンガの対Ｂを備える。構造が、ブレースを更に備える。ブレースのそれぞれが、第１のストリンガ及び第２のストリンガに垂直に航空機に沿ってすべての方向で、第１のストリンガのストリンガの対Ａの１つ及び第２のストリンガのストリンガの対Ｂの１つに幾何学的にインターロックされる。
【０００６】
本開示の別の実施例は、構造の第１のパネルに結合される、第１のストリンガのストリンガの対Ａ、及び構造の第２のパネルに結合される、第２のストリンガのストリンガの対Ｂを幾何学的にインターロックするためのブレースに関する。ブレースは、第１のインターロックと、第１のインターロックの反対側の第２のインターロックとを備えるシャーシを備える。第１のインターロックが、第１のストリンガのストリンガの対Ａの１つに幾何学的に係合し、第２のインターロックが、第２のストリンガのストリンガの対Ｂの１つに幾何学的に係合して、第１のストリンガ及び第２のストリンガに垂直に航空機に沿ってすべての方向でブレースを拘束する。
【０００７】
本開示のやはり別の実施例は、第１のパネルと、第２のパネルとを備える構造を製造するための方法に関する。方法が、第１のパネルに結合される、第１のストリンガのストリンガの対Ａを、第２のパネルに結合される、第２のストリンガのストリンガの対Ｂに、第１のストリンガ又は第２のストリンガに垂直に航空機に沿ってすべての方向で、幾何学的にインターロックするステップによって、第１のパネルと第２のパネルとを相互結合するステップを含む。
【０００８】
一般的な用語で本開示の実施例をこのように説明したが、次に添付の図面を参照することにするが、それらの図面は必ずしも縮尺通りに描かれているのではなく、いくつかの図面を通して同様の参照符号が同じ又は類似の部品を示す。
【図面の簡単な説明】
【０００９】
【図１】本開示の１つ又は複数の実施例による、構造のブロック図である。
【図２】本開示の１つ又は複数の実施例による、図１の構造のブレースのブロック図である。
【図３】本開示の１つ又は複数の実施例による、図１の構造の部分の概略切欠き斜視図である。
【図４】本開示の１つ又は複数の実施例による、図１の構造の部分的概略横断面図である。
【図５】本開示の１つ又は複数の実施例による、図１の構造の概略横断面図である。
【図６】本開示の１つ又は複数の実施例による、図１の構造の概略縦断面図である。
【図７】本開示の１つ又は複数の実施例による、図１の構造の部分的概略横断面図である。
【図８】本開示の１つ又は複数の実施例による、図２のブレースの概略斜視図である。
【図９】本開示の１つ又は複数の実施例による、図２のブレースの概略斜視図である。
【図１０】本開示の１つ又は複数の実施例による、図２のブレースの概略斜視図である。
【図１１】本開示の１つ又は複数の実施例による、図１の構造の第１のストリンガの１つ及びブレースの部分的概略側面図である。
【図１２】本開示の１つ又は複数の実施例による、図１の構造の第２のストリンガの１つ及びブレースの部分的概略側面図である。
【図１３Ａ】本開示の１つ又は複数の実施例による、図１の構造を製造するための方法のブロック図の第１の部分である。
【図１３Ｂ】本開示の１つ又は複数の実施例による、図１の構造を製造するための方法のブロック図の第２の部分である。
【図１４】本開示の１つ又は複数の実施例による、図１の構造の第１のストリンガのストリンガの対Ａ及び第２のストリンガのストリンガの対Ｂに幾何学的にインターロックされている１つのブレースの概略図である。
【図１５】本開示の１つ又は複数の実施例による、図１の構造の第１のストリンガの他のストリンガの対Ａ及び第２のストリンガの他のストリンガの対Ｂに幾何学的にインターロックされている他のブレースの概略図である。
【図１６】航空機の製造及び保守点検方法のブロック図である。
【図１７】航空機の概略図である。
【発明を実施するための形態】
【００１０】
上記に参照される図１及び図２では、もしあれば、様々な要素及び／又は構成要素を結合する実線は、機械的、電気的、流体的、光学的、電磁的又は他の結合及び／又はその組合せを示すことができる。本明細書で使用されると、「結合される」は、直接的並びに間接的に関連付けられることを意味する。例えば、部材Ａは、部材Ｂに直接的に関連付けられることが可能であり、又は例えば別の部材Ｃを介して間接的にそれに関連付けられることが可能である。様々な開示される要素の中の関係すべてが、必ずしも表されていないことを理解されたい。したがって、ブロック図の中で示される結合以外の結合もまた存在することができる。もしあれば、様々な要素及び／又は構成要素を示すブロックを結合する破線は、実線によって表される結合と同様の機能及び目的の結合を表すが、しかし、破線で表される結合は、選択的に提供されることができ、又は本開示の代替の実施例に関連することができる。同様に、もしあれば、破線によって表される要素及び／又は構成要素は、本開示の代替の実施例を示す。実線及び／又は破線で示される１つ又は複数の要素は、本開示の範囲から逸脱せずに、特定の実施例から省略されることができる。もしあれば、環境的要素は、点線で表される。事実上仮想の要素もやはり、分かりやすくするために示される可能性がある。図１及び図２に図示される形態のいくつかが、図１及び図２、他の図面及び／又は添付の開示の中で説明される他の形態を含むことを必要とせずに、たとえそのような１つ又は複数の組み合わせが本明細書で明確に説明されないとしても、様々な方法で組み合わされることが可能であることを当業者は理解するであろう。同様に、提示される実施例に限定されない追加の形態は、本明細書で示され、説明されるいくつかの、又はすべての形態と組み合わされることが可能である。
【００１１】
上記に参照される図１３及び図１６では、ブロックは、作業及び／又はその部分を表すことができ、様々なブロックを結合する線は、特定の順番あるいは作業又はその部分の従属性を意味するのではない。破線によって表されるブロックは、代替作業及び／又はその部分を示す。もしあれば、様々なブロックを結合する破線は、作業及び／又はその部分の代替の従属性を表す。様々な開示される作業の中の従属性のすべてが、必ずしも表されていないことを理解されたい。図１３及び図１６、並びに本明細書で記載される方法の作業を説明する添付の開示は、作業が実施されるべき順序を必ずしも決定するわけではないと解釈するべきである。むしろ、１つの例示的な順番が示されているが、作業の順序は適切な場合、修正され得ることを理解すべきである。したがって、特定の作業は、異なる順番で、又は同時に実施され得る。したがって、説明される作業のすべてが実施される必要がないことを当業者は理解するであろう。
【００１２】
以下の説明では、開示される概念の完全な理解を提供するために、複数の特定の詳細が説明されるが、その概念は、これらの詳細のいくつか又はすべてを用いずに実施され得る。他の実施例では、公知の装置及び／又は工程の詳細は、開示を不必要に不明確にすることを避けるために省略され得る。いくつかの概念が、特定の実施例と組み合わせて説明されるが、これらの実施例は限定するように意図されるのではないことを理解されたい。
【００１３】
そうではないと示されない限り、「第１の」、「第２の」などの用語は単に符号として使用され、これらの用語が言及する物品に対して、順番、配置又は階層的な要求を課すことを意図されるのではない。更に、例えば、「第２の」物品は、「第１の」又は下層の符号付き物品及び／又は例えば「第３の」又はより上層の符号付き物品の存在を必要とするものではなく、又はその存在を除外するものではない。
【００１４】
「一実施例」への本明細書の参照は、実施例に関連して説明される１つ又は複数の形態、構造又は特徴が、少なくとも１つの実施の中に含まれるという意味である。明細書の中の様々な場所で「一実施例」という語句は、同じ実施例を言及する可能性があり、又は同じ実施例を言及しない可能性がある。
【００１５】
特許請求される可能性があり、又は特許請求されない可能性がある、本開示による主題事項の限定しない例示的な実施例が、以下に提供される。
【００１６】
例えば、図１から図４を参照すると、構造１００が開示される。構造１００が、第１のパネル１０２を備える。構造１００が、第１のパネル１０２に結合され、ストリンガの対Ａを備える第１のストリンガ１０６を更に備える。追加的に、構造１００が、第１のパネル１０２の反対側の第２のパネル１０４と、第２のパネル１０４に結合された第１のストリンガ１０６の反対側の第２のストリンガ１０８とを備える。第２のストリンガ１０８が、ストリンガの対Ｂを備える。構造１００が、ブレース２００を更に備える。ブレース２００のそれぞれが、第１のストリンガ１０６及び第２のストリンガ１０８に垂直の平面１１２に沿ったすべての方向で、第１のストリンガ１０６のストリンガの対Ａの１つ及び第２のストリンガ１０８のストリンガの対Ｂの１つに幾何学的にインターロックされる。このパラグラフの前述の主題事項は、本開示の実施例１を特徴付ける。
【００１７】
第１のストリンガ１０６のストリンガの対Ａ及び第２のストリンガ１０８のストリンガの対Ｂをブレース２００に幾何学的にインターロックすることによって、ブレース２００を第１のストリンガ１０６及び／又は第２のストリンガ１０８に機械的に締め付ける、並びに／あるいはブレース２００を第１のパネル１０２及び／又は第２のパネル１０４に機械的に締め付ける必要をなくすことはないにしても、著しく低減し、したがって、構造１００を製造するステップ（例えば、組立）における時間、費用、複雑さ及び／又は困難さを著しく低減する。
【００１８】
一実施例として、構造１００は航空機の翼であり、例えば、図１５に示す航空機１１０２である。第１のパネル１０２及び第２のパネル１０４は、外装パネルである。第１のストリンガ１０６及び第２のストリンガ１０８は、翼の細長い補剛材である。第１のストリンガ１０６及び第２のストリンガ１０８は、第１のパネル１０２及び／又は第２のパネル１０４上に作用する荷重、例えば空気力学的荷重を航空機の機体に伝達する。ブレース２００は、翼のリブである。ブレース２００は、例えば、第１のストリンガ１０６のストリンガの対Ａ及び第２のストリンガ１０８のストリンガの対Ｂを機械的にインターロックすることによって、第１のパネル１０２及び第２のパネル１０４を相互結合する。ブレース２００は、１つの第１のパネル１０２及び／又は第２のパネル１０４上に作用するせん断圧縮力及び／又は引抜き荷重力を伝達する。例えば、ブレース２００は、直接的にブレース２００を第１のパネル１０２及び／又は第２のパネル１０４に結合する締め具を必要とせずに、例えば第１のパネル１０２及び／又は第２のパネル１０４を貫通して配置され、ブレース２００に締め付けられる締め具を必要とせずに、せん断圧縮力及び／又は引抜き荷重力を伝達する。
【００１９】
一実施例として、ブレース２００は、第１のパネル１０２を第２のパネル１０４に対して適切に配置する。例えば、ブレース２００は構造１００の形状を維持する（例えば、組み込む、又は画定する）。例えば、ブレース２００は翼の形状を維持する。一実施例として、ブレース２００は、構造１００の厚さ、例えば航空機の翼の厚さを画定する。一実施例として、構造１００（例えば翼）は、対称的である（例えば構造１００は、長手方向１２２及び／又は横方向１２４の一方又は両方で一定の厚さを含む）。一実施例として、翼は箱形状を含む。一実施例として、構造１００（例えば翼）は、非対称的である（例えば構造１００は、長手方向１２２及び／又は横方向１２４の一方又は両方で様々な厚さを含む）。一実施例として、翼はエーロフォイル形状を含む。翼の（例えば構造１００の）他の形状もまた考察されたい。
【００２０】
一実施例として、図３及び図６に最もよく図示されるように、第１のストリンガ１０６は翼の翼長方向に延伸する。第２のストリンガ１０８は、翼の翼長方向に延伸する。例えばストリンガの対Ａの第１のストリンガ１０６の１つのそれぞれは、翼の翼弦方向に、例えばストリンガの対Ａの第１のストリンガ１０６の他の１つから離隔配置される。例えばストリンガの対Ｂの第２のストリンガ１０８の各１つは、翼の翼弦方向に、例えばストリンガの対Ｂの第２のストリンガ１０８の他の１つから離隔配置される。
【００２１】
一実施例として、図３から図５に最もよく図示されるように、例えばストリンガの対Ａの第１のストリンガ１０６の１つのそれぞれ、及び例えばストリンガの対Ｂの第２のストリンガ１０８の１つのそれぞれは、例えば翼弦方向において、互いに対して正反対にある。一実施例として（明確に図示されない）、例えばストリンガの対Ａの第１のストリンガ１０６の１つのそれぞれ、及び例えばストリンガの対Ｂの第２のストリンガ１０８の１つのそれぞれは、例えば翼弦方向に、わずかに互いからずれている。
【００２２】
図５に図示するように、一実施例として、ストリンガの対Ａの異なる対は、第１のストリンガ１０６の共通の１つを共有する。同様に、ストリンガの対Ｂの異なる対は、第２のストリンガ１０８の共通の１つを共有する。一実施例として、ストリンガの対Ａの異なる対は、第１のストリンガ１０６の共通の１つを共有せず、及び／又はストリンガの対Ｂの異なる対は、第２のストリンガ１０８の共通の１つを共有しない。
【００２３】
一実施例として、第１のパネル１０２及び／又は第２のパネル１０４のそれぞれは、金属材料から形成される。一実施例として、第１のパネル１０２及び／又は第２のパネル１０４のそれぞれは、複合材料から形成される。一実施例として、第１のパネル１０２及び／又は第２のパネル１０４の少なくとも１つは、金属材料又は複合材料の１つから形成される。他の材料及び／又は材料の組合せもまた、考察されたい。
【００２４】
一実施例として、第１のストリンガ１０６及び／又は第２のストリンガ１０８のそれぞれは、金属材料から形成される。一実施例として、第１のストリンガ１０６及び／又は第２のストリンガ１０８のそれぞれは、複合材料から形成される。一実施例として、第１のストリンガ１０６及び／又は第２のストリンガ１０８の少なくとも１つは、金属材料又は複合材料の１つから形成される。他の材料及び／又は材料の組合せもまた、考察されたい。
【００２５】
一実施例の構造として、第１のストリンガ１０６及び第１のパネル１０２は、機械的に結合され（例えば、一体に締め付けられる）、及び／又は第２のストリンガ１０８及び第２のパネル１０４は、機械的に結合される（例えば、一体に締め付けられる）。
【００２６】
一実施例の構造として、第１のストリンガ１０６及び第１のパネル１０２は、二次的に接着され（例えば、一体に接着される）、及び／又は第２のストリンガ１０８及び第２のパネル１０４は、二次的に接着される（例えば、一体に接着される）。
【００２７】
一実施例として、第１のストリンガ１０６及び第１のパネル１０２は、共接着され（例えば、共接着複合体）、及び／又は第２のストリンガ１０８及び第２のパネル１０４は、共に接着される（例えば、共接着複合体）。
【００２８】
一実施例として、第１のストリンガ１０６及び第１のパネル１０２は、共硬化され（例えば、共硬化複合体）、及び／又は第２のストリンガ１０８及び第２のパネル１０４は、共硬化される（例えば、共硬化複合体）。一実施例として、第１のストリンガ１０６は第１のパネル１０２に縫合された三次元複合体であり、及び／又は第２のストリンガ１０８は第２のパネル１０４に縫合された三次元複合体である。
【００２９】
第１のストリンガ１０６を第１のパネル１０２に結合し、及び／又は第２のストリンガ１０８を第２のパネル１０４に結合するために使用される特定の技術が、例えば第１のパネル１０２、第２のパネル１０４、第１のストリンガ１０６及び第２のストリンガ１０８の材料など、様々な要因に依存する可能性があることを当業者は認識するであろう。
【００３０】
図１及び図２を全体的に参照し、特に例えば図４を参照すると、各ブレース２００はシャーシ２０２を備える。シャーシ２０２は、第１のインターロック２０４及び第１のインターロック２０４の反対側の第２のインターロック２０６を備える。第１のインターロック２０４は、第１のストリンガ１０６のストリンガの対Ａの１つに幾何学的に係合され、第２のインターロック２０６は、第２のストリンガ１０８のストリンガの対Ｂの１つに幾何学的に係合される。このパラグラフの前述の主題事項は、本開示の実施例２を特徴付け、実施例２は上記の実施例１の主題事項を含む。
【００３１】
各ブレース２００の第１のインターロック２０４を第１のストリンガ１０６のストリンガの対Ａの１つに幾何学的に係合するステップ、及び各ブレース２００の第２のインターロック２０６を第２のストリンガ１０８のストリンガの対Ｂの１つに幾何学的に係合するステップによって、各ブレース２００を第１のストリンガ１０６及び／又は第２のストリンガ１０８に締め付ける必要なしに、平面１１２に沿ったすべての方向で各ブレース２００を拘束する。
【００３２】
一実施例として、図４に最もよく図示されるように、ブレース２００は、第１のストリンガ１０６のストリンガの対Ａのみ、及び第２のストリンガ１０８のストリンガの対Ｂのみに係合する（例えば、面接触する）ように構成される（例えば、適切に寸法を形成され、及び／又は成形される）。一実施例として、対向する端部である、例えば各ブレース２００の第１の端部２１４及び／又は第２の端部２１６（図８から図１０）は、第１のパネル１０２及び／又は第２のパネル１０４の近傍に（例えば、第１のパネル１０２及び／又は第２のパネル１０４に、又はその近くに）延伸するが、しかし第１のパネル１０２及び／又は第２のパネル１０４に面接触することはない。
【００３３】
一実施例として、図５に最もよく図示されるように、ブレース２００は、第１のストリンガ１０６のストリンガの対Ａ、第１のパネル１０２、第２のストリンガ１０８のストリンガの対Ｂ及び第２のパネル１０４に係合する（例えば、面接触する）ように構成される（例えば、適切に寸法を形成され、及び／又は成形される）。一実施例として、対向する端部である、例えば各ブレース２００の第１の端部２１４及び／又は第２の端部２１６（図８から図１０）は、第１のパネル１０２及び／又は第２のパネル１０４まで延伸し、第１のパネル１０２及び／又は第２のパネル１０４と面接触する。
【００３４】
図１及び図２を全体的に参照し、特に例えば図３から図５を参照すると、構造１００は、第１の端部１１４及び第１の端部１１４の反対側の第２の端部１１６を更に備える。構造１００は、第１の側部１１８及び第１の側部１１８の反対側の第２の側部１２０を更に備える。第１のストリンガ１０６及び第２のストリンガ１０８は、第１の端部１１４と第２の端部１１６との間に長手方向１２２に延伸する。ブレース２００は、第１の側部１１８と第２の側部１２０との間に横方向１２４に延伸するブレース２００の列２０８を備える。ブレース２００の列２０８は、ブレース２００の少なくとも１つを備える。このパラグラフの前述の主題事項は、本開示の実施例３を特徴付け、実施例３は上記の実施例２の主題事項を含む。
【００３５】
複数の第１のストリンガ１０６（例えば、複数のストリンガの対Ａ）及び複数の第２のストリンガ１０８（例えば、複数のストリンガの対Ｂ）をブレース２００の列２０８に幾何学的にインターロックすることによって、構造１００を製造するステップ（例えば、組立）における時間、費用、複雑さ及び／又は困難さを著しく低減する。
【００３６】
一実施例として、構造１００は航空機の翼であり、構造１００の横方向１２４は翼の翼弦方向である。一実施例として、構造１００（例えば、翼）は、横の寸法（例えば、幅）を含む。
【００３７】
一実施例として、ブレース２００の列２０８が、第１のパネル１０２を第２のパネル１０４に対して適切に配置する。一実施例として、ブレース２００の列２０８が、構造１００の形状を横方向１２４に維持する（例えば、組み合わせる、又は画定する）。例えば、ブレース２００の列２０８が、翼の形状を翼弦方向に維持する。一実施例として、ブレース２００の列２０８が、構造１００の厚さを横方向１２４に画定し、例えば、航空機の翼の厚さを翼弦方向に画定する。一実施例として、ブレース２００の列２０８が、例えば横方向１２４に沿って、第１のパネル１０２と第２のパネル１０４との間に引張り荷重及び／又は圧縮荷重を伝達する。
【００３８】
図１及び図２を全体的に参照し、特に例えば図４及び図５を参照すると、ブレース２００の列２０８のブレース２００の１つが、ブレース２００の列２０８のブレース２００の他の１つに結合されている。このパラグラフの前述の主題事項は、本開示の実施例４を特徴付け、実施例４は上記の実施例３の主題事項を含む。
【００３９】
ブレース２００の列２０８のブレース２００の１つをブレース２００の列２０８のブレース２００の他の１つに結合することによって、ブレース２００の列２０８のブレース２００の１つを固定して、ブレース２００の列２０８のブレース２００の１つがブレース２００の列２０８のブレース２００の他の１つに対して移動することを防止する。
【００４０】
一実施例として、ブレース２００の１つが、ブレース２００の１つに横方向に隣接する（例えば、横方向１２４に）ブレース２００の他の１つに結合される。
【００４１】
一実施例として、ブレース２００の列２０８のブレース２００の１つをブレース２００の列２０８のブレース２００の他の１つに結合することによって、ブレース２００の１つ及び／又はブレース２００の他の１つが平面１１２に対してゼロではない角度に任意の方向に移動することを拘束する。
【００４２】
一実施例として、ブレース２００の列２０８のブレース２００の１つをブレース２００の列２０８のブレース２００の他の１つに結合することによって、ブレース２００の１つが第１のストリンガ１０６及び第２のストリンガ１０８に略平行の方向に移動することを防止する。
【００４３】
一実施例として、ブレース２００の列２０８のブレース２００の１つをブレース２００の列２０８のブレース２００の他の１つに結合することによって、ブレース２００の１つが平面１１２に略垂直方向に移動することを防止する。
【００４４】
一実施例として、ブレース２００の列２０８のブレース２００の１つをブレース２００の列２０８のブレース２００の他の１つに結合することによって、ブレース２００の１つが、ブレース２００の他の１つに対して角移動することを防止する。
【００４５】
一実施例として、ブレース２００の列２０８のブレース２００の１つのそれぞれを、例えば、横方向に隣接するブレース２００の他の１つに結合することによって、横方向１２４にブレース２００の剛体の列２０８を形成する。
【００４６】
一実施例として、ブレース２００の列２０８のブレース２００の１つは、ブレース２００の列２０８のブレース２００の他の１つに機械的に結合される。一実施例として、ブレース２００の列２０８のブレース２００の１つ及びブレース２００の列２０８のブレース２００の他の１つは、例えば複数の締め具によって機械的に締め付けられる（説明されるが、図５の中で明確に確認されない）。
【００４７】
一実施例として、ブレース２００の列２０８のブレース２００の１つ及びブレース２００の列２０８のブレース２００の他の１つは、一体に接着される。
【００４８】
一実施例として、ブレース２００の列２０８のブレース２００の１つは、ブレース２００の列２０８のブレース２００の他の１つに、そうではなく剛体的に接合される。一実施例として、ブレース２００の列２０８のブレース２００の１つは、ブレース２００の列２０８のブレース２００の他の１つに溶接される。
【００４９】
一実施例として、例えば機械的締め付け又は接着結合という結合技術の組合せによって、ブレース２００の列２０８のブレース２００の１つは、ブレース２００の列２０８のブレース２００の他の１つに結合される。
【００５０】
図１及び図２を全体的に参照し、特に例えば図３及び図５を参照すると、構造１００は、構造１００の第１の側部１１８に沿って第１のパネル１０２及び第２のパネル１０４に結合されている第１の翼桁１２６を更に備える。構造１００は、構造１００の第２の側部１２０に沿って第１のパネル１０２及び第２のパネル１０４に結合されている第２の翼桁１２８を更に備える。ブレース２００の列２０８は、第１の翼桁１２６及び第２の翼桁１２８に結合されている。このパラグラフの前述の主題事項は、本開示の実施例５を特徴付け、実施例５は上記の実施例３又は４のいずれかの主題事項を含む。
【００５１】
第１の翼桁１２６及び第２の翼桁１２８を第１のパネル１０２及び第２のパネル１０４に結合することによって、例えばそれぞれ構造１００の第１の側部１１８及び第２の側部１２０に沿って、構造１００を取り囲み、構造１００に剛性を加える。ブレース２００の列２０８を第１の翼桁１２６及び第２の翼桁１２８に結合することによって、ブレース２００の列２０８が移動することを防止し、構造１００に剛性及び荷重担持能力を加える。
【００５２】
一実施例として、第１の翼桁１２６及び第２の翼桁１２８を第１のパネル１０２及び第２のパネル１０４に結合し、ブレース２００の列２０８を結合することによって、第１のパネル１０２及び第２のパネル１０４の相対的な位置を維持する。一実施例として、第１の翼桁１２６及び第２の翼桁１２８を第１のパネル１０２及び第２のパネル１０４に結合し、ブレース２００の列２０８を結合することによって、第１のパネル１０２と第２のパネル１０４との間に引張り荷重及び／又は圧縮荷重を伝達する。
【００５３】
一実施例として、例えばブレース２００及び／又はブレース２００の列２０８を設置する前、及び設置中に、構造１００の第１の側部１１８及び第２の側部１２０で、第１のパネル１０２と第２のパネル１０４との間の空隙が最初は開いている。第１の翼桁１２６及び第２の翼桁１２８が、構造１００の第１の側部１１８及び第２の側部１２０で、第１のパネル１０２と第２のパネル１０４との間の開いている空隙を覆って、構造１００の製造（例えば、組立）が完成する。
【００５４】
一実施例として、図５及び図７に最もよく図示されるように、第１の翼桁１２６及び第２の翼桁１２８は、Ｃ字形翼桁である。一実施例として、第１の翼桁１２６及び第２の翼桁１２８は、壁部分１５２、壁部分１５２の端部から延伸する第１のタブ部分１５４及び例えば第１のタブ部分１５４の反対側の、壁部分１５２の端部から延伸する第２のタブ部分１５６を含む。壁部分１５２は、第１のパネル１０２と第２のパネル１０４との間に延伸し、例えば、第１のパネル１０２と第２のパネル１０４との間の開いている空隙を覆う。第１のタブ部分１５４は、第１のパネル１０２に結合される。第２のタブ部分１５６は、第２のパネル１０４に結合される。
【００５５】
一実施例として、図５及び図７に最もよく図示されるように、第１の翼桁１２６は、第１の側部１１８で第１のパネル１０２及び第２のパネル１０４を少なくとも部分的に取り囲む。第２の翼桁１２８は、第２の側部１２０で第１のパネル１０２及び第２のパネル１０４を少なくとも部分的に取り囲む。図７は、第１の翼桁１２６のみを明確に図示するが、第２の翼桁１２８は、第１の翼桁１２６と同じであることができる。一実施例として、第１の翼桁１２６の第１のタブ部分１５４は、構造１００の第１の側部１１８の近傍で（例えば、第１の側部１１８で、又は近くで）、第１のパネル１０２の外面１５８に面接触し、結合される。第１の翼桁１２６の第２のタブ部分１５６は、例えば構造１００の第１の側部１１８の近傍で、第２のパネル１０４の外面１６０に面接触し、結合される。一実施例として、第２の翼桁１２８の第１のタブ部分１５４は、例えば構造１００の第２の側部１２０の近傍で、第１のパネル１０２の外面１５８に面接触し、結合される。第２の翼桁１２８の第２のタブ部分１５６は、例えば構造１００の第２の側部１２０の近傍で、第２のパネル１０４の外面１６０に面接触し、結合される。
【００５６】
一実施例（明確に図示されない）として、第１の翼桁１２６は、第１の側部１１８で第１のパネル１０２と第２のパネル１０４との間に嵌合する。第２の翼桁１２８は、第２の側部１２０で第１のパネル１０２と第２のパネル１０４との間に嵌合する。一実施例として、第１の翼桁１２６の第１のタブ部分１５４は、例えば構造１００の第１の側部１１８の近傍で、第１のパネル１０２の内面１６２に面接触し、結合される。第１の翼桁１２６の第２のタブ部分１５６は、例えば構造１００の第１の側部１１８の近傍で、第２のパネル１０４の内面１６４に面接触し、結合される。一実施例として、第２の翼桁１２８の第１のタブ部分１５４は、例えば構造１００の第２の側部１２０の近傍で、第１のパネル１０２の内面１６２に面接触し、結合される。第２の翼桁１２８の第２のタブ部分１５６は、例えば構造１００の第２の側部１２０の近傍で、第２のパネル１０４の内面１６４に面接触し、結合される。
【００５７】
一実施例として、第１の翼桁１２６及び第２の翼桁１２８は、第１のパネル１０２及び第２のパネル１０４に接着される。一実施例として、図７に最もよく図示されるように、接着剤１６６が、第１のタブ部分１５４と第１のパネル１０２の外面１５８との間に付着され、接着剤１６６が、第２のタブ部分１５６と第２のパネル１０４の外面１６０との間に付着される。一実施例（明確に図示されない）として、接着剤１６６が、第１のタブ部分１５４と第１のパネル１０２の内面１６２との間に付着され、接着剤１６６が、第２のタブ部分１５６と第２のパネル１０４の内面１６４との間に付着される。
【００５８】
一般的な、限定しない一実施例として、接着剤１６６はエポキシ系接着剤である。一実施例として、接着剤１６６は液体であり、及び／又は液体として塗布される。例えば、液体の接着剤１６６は、ブラシ又はローラーでインターフェイス領域（例えば、第１の翼桁１２６、第１のパネル１０２及び／又は第２のパネル１０４の少なくとも１つ間、及び第２の翼桁１２８、第１のパネル１０２及び／又は第２のパネル１０４の少なくとも１つ間）に塗布され得る。一実施例として、接着剤１６６はシート又はフィルムの形態であり、及び／又はシート又はフィルムとして付着される。例えば、シート又はフィルムの形態の接着剤１６６は、適切な形状に切断され（例えば、打ち抜き）、インターフェイス領域（例えば、第１の翼桁１２６、第１のパネル１０２及び／又は第２のパネル１０４の少なくとも１つ間、及び第２の翼桁１２８、第１のパネル１０２及び／又は第２のパネル１０４の少なくとも１つ間）に付着され得る。
【００５９】
特定の限定しない一実施例として、接着剤１６６は、ミネソタ州Ｓｔ．  Ｐａｕｌの３Ｍ（商標）Ｃｏｒｐｏｒａｔｉｏｎから市販されているＳｃｏｔｃｈ−Ｗｅｌｄ（商標）構造フィルム接着剤である。特定の限定しない一実施例として、接着剤１６６は、コネチカット州Ｒｏｃｋｙ  ＨｉｌｌのＨｅｎｋｅｌ  Ｃｏｒｐｏｒａｔｉｏｎから市販されているＨｙｓｏｌ（登録商標）ＰＬ  ６９６（商標）構造フィルム接着剤である。
【００６０】
一実施例として、接着剤１６６は手でインターフェイス領域に付着され得る。一実施例として、接着剤１６６は自動化システム、例えば、アプリケーション固有のエンドエフェクタ（図示せず）を用いてロボットアームによってインターフェイス領域に付着され得る。
【００６１】
一実施例として、接着剤１６６は硬化工程中に硬化される。一実施例として、硬化工程は高温硬化工程であることができる。一実施例として、硬化工程は中温硬化工程であることができる。一実施例として、硬化工程はオートクレーブ硬化工程であることができる。特定の硬化工程は、様々な要因、例えば接着剤１６６の選択された製剤形態に依存する可能性があることを当業者は認識するであろう。
【００６２】
一実施例として、第１の翼桁１２６及び第２の翼桁１２８は、第１のパネル１０２及び第２のパネル１０４に機械的に結合される。一実施例として、第１のタブ部分１５４は、例えば締め具（図示せず）によって第１のパネル１０２に機械的に締め付けられ、第２のタブ部分１５６は、例えば締め具（図示せず）によって第２のパネル１０４に機械的に締め付けられる。
【００６３】
一実施例として、第１の翼桁１２６及び第２の翼桁１２８は、第１のパネル１０２及び第２のパネル１０４に、そうではなく剛体的に接合される。一実施例として、第１のタブ部分１５４は、第１のパネル１０２に溶接され、第２のタブ部分１５６は、第２のパネル１０４に溶接される。
【００６４】
一実施例として、第１の翼桁１２６及び第２の翼桁１２８は、結合技術、例えば機械的締め付け及び接着の組合せによって、第１のパネル１０２及び第２のパネル１０４に結合される。
【００６５】
一実施例として、第１の翼桁１２６及び／又は第２の翼桁１２８のそれぞれは、金属材料から形成される。一実施例として、第１の翼桁１２６及び／又は第２の翼桁１２８のそれぞれは、複合材料から形成される。一実施例として、第１の翼桁１２６及び／又は第２の翼桁１２８の少なくとも１つは、金属材料又は複合材料の１つから形成される。他の材料及び／又は材料の組合せもまた、考察されたい。
【００６６】
第１の翼桁１２６を第１のパネル１０２及び第２のパネル１０４に結合し、及び／又は第２の翼桁１２８を第１のパネル１０２及び第２のパネル１０４に結合するために使用される特定の技術が、例えば第１のパネル１０２、第２のパネル１０４、第１の翼桁１２６及び／又は第２の翼桁１２８の材料など、様々な要因に依存する可能性があることを当業者は認識するであろう。
【００６７】
図１及び図２を全体的に参照し、特に例えば図３、図５及び図７を参照すると、構造１００は、２つの端部ブレース２１０を更に備える。２つの端部ブレース２１０の第１の端部ブレースが、ブレース２００の列２０８のブレース２００の１つに結合され、２つの端部ブレース２１０の第２の端部ブレースが、列２０８のブレース２００の他の１つに結合される。２つの端部ブレース２１０の第１の端部ブレースが、第１の翼桁１２６に結合され、２つの端部ブレース２１０の第２の端部ブレースが、第２の翼桁１２８に結合される。このパラグラフの前述の主題事項は、本開示の実施例６を特徴付け、実施例６は上記の実施例５の主題事項を含む。
【００６８】
ブレース２００の列２０８と第１の翼桁１２６及び第２の翼桁１２８のそれぞれ１つとの間に２つの端部ブレース２１０の１つを結合することによって、ブレース２００の列２０８と第１の翼桁１２６及び第２の翼桁１２８とを相互結合して、ブレース２００の列２０８の移動を防止し、構造１００に剛性又は荷重担持能力を与える。
【００６９】
一実施例として、図５に最もよく図示されるように、２つの端部ブレース２１０の各１つが、例えばブレース２００の列２０８の横方向１２４に反対側のブレース２００の最も外側の１つに結合される。一実施例として、ブレース２００の列２０８のブレース２００の最も外側の１つは、最も外側のストリンガの対Ａ及び最も外側のストリンガの対Ｂ、例えば第１の側部１１８及び第２の側部１２０に最も近いストリンガの対Ａ及びストリンガの対Ｂにそれぞれ幾何学的にインターロックされるブレース２００である。
【００７０】
一実施例として、２つの端部ブレース２１０の各１つは、ブレース２００の列２０８のブレース２００の１つに機械的に結合される。一実施例として、２つの端部ブレース２１０の各１つ及びブレース２００の列２０８のブレース２００の１つは、例えば複数の締め具によって機械的に締め付けられる（説明されるが、図５及び図７の中で明確に確認されない）。
【００７１】
一実施例として、２つの端部ブレース２１０の各１つ及びブレース２００の列２０８のブレース２００の１つは、一体に接着される。
【００７２】
一実施例として、２つの端部ブレース２１０の各１つは、ブレース２００の列２０８のブレース２００の１つに、そうではなく剛体的に接合される。一実施例として、２つの端部ブレース２１０の各１つ及びブレース２００の列２０８のブレース２００の１つは、一体に接着される。
【００７３】
一実施例として、例えば機械的締め付け又は接着という結合技術の組合せによって、２つの端部ブレース２１０の各１つは、ブレース２００の列２０８のブレース２００の１つに結合される。
【００７４】
一実施例として、図７に最もよく図示されるように、２つの端部ブレース２１０の各１つは、最も外側のストリンガの対Ａの第１のストリンガ１０６の１つに幾何学的に係合される１つの第１のインターロック２０４、及び最も外側のストリンガの対Ｂの第２のストリンガ１０８の１つに幾何学的に係合される１つの第２のインターロック２０６を含む。
【００７５】
一実施例（明確に図示されない）として、２つの端部ブレース２１０の各１つは、最も外側のストリンガの対Ａの第１のストリンガ１０６の１つ、又は最も外側のストリンガの対Ｂの第２のストリンガ１０８の１つに幾何学的に係合せず、又はそうではなく接触しない。
【００７６】
一実施例として、図５及び図７に最もよく図示されるように、２つの端部ブレース２１０の各１つは、最も外側のストリンガの対Ａの第１のストリンガ１０６の１つ、又は最も外側のストリンガの対Ｂの第２のストリンガ１０８の１つだけに係合する（例えば、面接触する）ように構成される（例えば、適切に寸法を形成され、及び／又は成形される）。一実施例として、２つの端部ブレース２１０の各１つの対向する端部は、第１のパネル１０２及び／又は第２のパネル１０４の近傍に（例えば、第１のパネル１０２及び／又は第２のパネル１０４に、又はその近くに）延伸するが、しかし第１のパネル１０２及び／又は第２のパネル１０４に面接触することはない。
【００７７】
一実施例として、２つの端部ブレース２１０の各１つは、最も外側のストリンガの対Ａの第１のストリンガ１０６の１つ、第１のパネル１０２、最も外側のストリンガの対Ｂの第２のストリンガ１０８の１つ及び第２のパネル１０４に係合する（例えば、面接触する）ように構成される（例えば、適切に寸法を形成され、及び／又は成形される）。一実施例として、２つの端部ブレース２１０の各１つの対向する端部は、第１のパネル１０２及び／又は第２のパネル１０４まで延伸し、第１のパネル１０２及び／又は第２のパネル１０４に面接触する。
【００７８】
一実施例（明確に図示されない）として、２つの端部ブレース２１０のそれぞれ１つは、第１のパネル１０２及び第２のパネル１０４だけに係合し（例えば、面接触する）、最も外側のストリンガの対Ａの第１のストリンガ１０６の１つ、又は最も外側のストリンガの対Ｂの第２のストリンガ１０８の１つ、及び第２のパネル１０４に係合しないように構成される（例えば、適切に寸法を形成され、及び／又は成形される）。一実施例として、２つの端部ブレース２１０の各１つは、第１のインターロック２０４又は第２のインターロック２０６を含まず、２つの端部ブレース２１０のそれぞれ１つの対向する端部は、第１のパネル１０２及び／又は第２のパネル１０４まで延伸し、第１のパネル１０２及び／又は第２のパネル１０４に面接触する。
【００７９】
一実施例として、２つの端部ブレース２１０の各１つは、金属材料から形成される。一実施例として、２つの端部ブレース２１０の各１つは、複合材料から形成される。一実施例として、２つの端部ブレース２１０の少なくとも１つは、金属材料又は複合材料の１つから形成される。他の材料及び／又は材料の組合せもまた、考察されたい。
【００８０】
２つの端部ブレース２１０のそれぞれ１つをブレース２００の列２０８のブレース２００の１つに結合するために使用される特定の技術が、例えば、２つの端部ブレース２１０及び／又はブレース２００の列２０８のブレース２００の１つの材料など、様々な要因に依存する可能性があることを当業者は認識するであろう。
【００８１】
図１及び図２を全体的に参照し、特に例えば図３、図５、及び図７を参照すると、第１の翼桁１２６は、第１の翼桁フランジ１３０を備え、第２の翼桁１２８は、第２の翼桁フランジ１３２を備える。２つの端部ブレース２１０の第１の１つは、第１の翼桁１２６の第１の翼桁フランジ１３０の１つに接合され、２つの端部ブレース２１０の第２の１つは、第２の翼桁１２８の第２の翼桁フランジ１３２の１つに接合される。このパラグラフの前述の主題事項は、本開示の実施例７を特徴付け、実施例７は上記の実施例６の主題事項を含む。
【００８２】
ブレース２００の列２０８を第１の翼桁１２６及び第２の翼桁１２８に結合するために、第１の翼桁フランジ１３０は、２つの端部ブレース２１０の１つを第１の翼桁１２６に結合することを可能にし、第２の翼桁フランジ１３２は、２つの端部ブレース２１０の対向する１つを第２の翼桁１２８に結合することを可能にする。
【００８３】
一実施例として、図５及び図７に最もよく図示されるように、第１の翼桁フランジ１３０は、第１の側部１１８で第１のパネル１０２と第２のパネル１０４との間に画定される開いた間隙を通って内側に延伸する。第２の翼桁フランジ１３２は、第２の側部１２０で第１のパネル１０２と第２のパネル１０４との間に画定される開いた間隙を通って内側に延伸する。一実施例として、第１の翼桁フランジ１３０は、例えば、第１の翼桁１２６の壁部分１５２から垂直に延伸する。第２の翼桁フランジ１３２は、例えば、第２の翼桁１２６の壁部分１５２から垂直に延伸する。
【００８４】
一実施例として、２つの端部ブレース２１０の１つは、第１の翼桁１２６の第１の翼桁フランジ１３０の１つに機械的に結合され、２つの端部ブレース２１０の他の１つは、第２の翼桁１２８の第２の翼桁フランジ１３２の１つに機械的に結合される。一実施例として、図５及び図７に最もよく図示されるように、２つの端部ブレース２１０の１つ及び第１の翼桁１２６の第１の翼桁フランジ１３０の１つは、例えば複数の締め具によって機械的に一体に締め付けられ（説明されるが、図５及び図７に明確に確認されない）、２つの端部ブレース２１０の１つ及び第２の翼桁１２８の第２の翼桁フランジ１３２の１つは、例えば複数の締め具によって機械的に一体に締め付けられる（説明されるが、図５に明確に確認されない）。
【００８５】
一実施例として、２つの端部ブレース２１０の１つは、第１の翼桁１２６の第１の翼桁フランジ１３０の１つに接着され、２つの端部ブレース２１０の他の１つは、第２の翼桁１２８の第２の翼桁フランジ１３２の１つに接着される。
【００８６】
一実施例として、２つの端部ブレース２１０の１つは、第１の翼桁１２６の第１の翼桁フランジ１３０の１つに、そうではなく剛体的に接合され、２つの端部ブレース２１０の他の１つは、第２の翼桁１２８の第２の翼桁フランジ１３２の１つに、そうではなく剛体的に接合される。一実施例として、２つの端部ブレース２１０の１つ及び第１の翼桁１２６の第１の翼桁フランジ１３０の１つは、一体に溶接され、２つの端部ブレース２１０の他の１つ及び第２の翼桁１２８の第２の翼桁フランジ１３２は、一体に溶接される。
【００８７】
２つの端部ブレース２１０を第１の翼桁１２６及び第２の翼桁１２８に結合するために使用される特定の技術が、例えば、２つの端部ブレース２１０、第１の翼桁１２６及び／又は第２の翼桁１２８の材料など、様々な要因に依存する可能性があることを当業者は認識するであろう。
【００８８】
図１及び図２を全体的に参照し、特に例えば図３から図６を参照すると、構造１００は、第１の端部１１４及び第１の端部１１４の反対側の第２の端部１１６を更に備える。構造１００は、第１の側部１１８及び第１の側部１１８の反対側の第２の側部１２０を更に備える。第１のストリンガ１０６及び第２のストリンガ１０８は、第１の端部１１４と第２の端部１１６との間に長手方向１２２に延伸する。ブレース２００は、ブレース２００の列２０８を備える。ブレース２００の各列２０８は、第１の側部１１８と第２の側部１２０との間に横方向１２４に延伸する。列２０８は、配列２１２の中に配置され、第１の端部１１４と第２の端部１１６との間に長手方向１２２に延伸し、ブレース２００の各列２０８は、ブレース２００の少なくとも１つを備える。このパラグラフの前述の主題事項は、本開示の実施例８を特徴付け、実施例８は上記の実施例２の主題事項を含む。
【００８９】
配列２１２の中の列２０８の配置は、長手方向１２２に構造１００の長さに跨る。複数の第１のストリンガ１０６（例えば、複数のストリンガの対Ａ）及び複数の第２のストリンガ１０８（例えば、複数のストリンガの対Ｂ）をブレース２００の列２０８の配列２１２に幾何学的にインターロックすることによって、構造の形状を維持し、構造１００に剛性及び荷重担持能力を加える。
【００９０】
一実施例として、構造１００は航空機の翼であり、構造１００の長手方向１２２は翼の翼長方向である。一実施例として、構造１００（例えば、翼）は、長手方向の寸法（例えば、長さ）を含む。
【００９１】
一実施例として、ブレース２００の列２０８の配列２１２が、第１のパネル１０２を第２のパネル１０４に対して適切に配置する。一実施例として、ブレース２００の列２０８の配列２１２が、構造１００の形状を長手方向に維持する（例えば、組み合わせる、又は画定する）。例えば、ブレース２００の列２０８の配列２１２が、翼の形状を翼長方向に維持する。一実施例として、ブレース２００の列２０８の配列２１２が、構造１００の厚さを長手方向１２２に画定し、例えば、航空機の翼の厚さを翼長方向に画定する。一実施例として、ブレース２００の列２０８の配列２１２が、例えば長手方向１２２に沿って、第１のパネル１０２と第２のパネル１０４との間に引張り荷重及び／又は圧縮荷重を伝達する。
【００９２】
一実施例として、図６に最もよく図示されるように、列２０８の配列２１２の中の列２０８の各１つは、長手方向１２２に、列２０８の配列２１２の中の列２０８の他の１つから離隔配置される。一実施例として、列２０８の配列２１２は、第１の端部１１４の近傍（例えば、第１の端部１１４で、又は近くで）から第２の端部１１６近傍まで延伸する。
【００９３】
図１及び図２を全体的に参照し、特に例えば図４及び図５を参照すると、ブレース２００の各列２０８のブレース２００の１つが、ブレース２００の少なくとも１つに横方向に隣接するブレース２００の他の１つに結合される。このパラグラフの前述の主題事項は、本開示の実施例９を特徴付け、実施例９は上記の実施例８の主題事項を含む。
【００９４】
配列２１２のブレース２００の列２０８のブレース２００の１つを配列２１２のブレース２００の列２０８のブレース２００の他の１つに結合することによって、ブレース２００の列２０８のブレース２００の１つを固定して、ブレース２００の列２０８のブレース２００の１つがブレース２００の列２０８のブレース２００の他の１つに対して移動することを防止する。
【００９５】
図１及び図２を全体的に参照し、特に例えば図３及び図５を参照すると、構造１００は、構造１００の第１の側部１１８に沿って第１のパネル１０２及び第２のパネル１０４に結合されている第１の翼桁１２６を更に備える。構造１００は、構造１００の第２の側部１２０に沿って第１のパネル１０２及び第２のパネル１０４に結合されている第２の翼桁１２８を更に備える。ブレース２００の各列２０８は、第１の翼桁１２６及び第２の翼桁１２８に結合される。このパラグラフの前述の主題事項は、本開示の実施例１０を特徴付け、実施例１０は上記の実施例８又は９のいずれかの主題事項を含む。
【００９６】
第１の翼桁１２６及び第２の翼桁１２８を第１のパネル１０２及び第２のパネル１０４に結合することによって、例えば、それぞれ構造１００の第１の側部１１８及び第２の側部１２０に沿って、構造１００を取り囲み、構造１００に剛性を加える。ブレース２００の各列２０８を第１の翼桁１２６及び第２の翼桁１２８に結合することによって、ブレース２００の各列２０８が移動することを防止し、構造１００に剛性及び荷重担持能力を加える。
【００９７】
図１及び図２を全体的に参照し、特に例えば図５及び図７を参照すると、構造１００は、２つの端部ブレース２１０を更に備える。２つの端部ブレース２１０の１つが、ブレース２００の列２０８のブレース２００の１つに結合され、２つの端部ブレース２１０の他の１つが、列２０８の１つのブレース２００の他の１つに結合される。２つの端部ブレース２１０の第１の端部ブレースの１つが、第１の翼桁１２６に結合され、２つの端部ブレース２１０の第２の１つが、第２の翼桁１２８に結合される。このパラグラフの前述の主題事項は、本開示の実施例１１を特徴付け、実施例１１は上記の実施例１０の主題事項を含む。
【００９８】
ブレース２００の列２０８の１つと第１の翼桁１２６及び第２の翼桁１２８のそれぞれ１つとの間に２つの端部ブレース２１０の１つを結合することによって、ブレース２００の列２０８の１つと第１の翼桁１２６及び第２の翼桁１２８とを相互結合して、ブレース２００の列２０８の１つの移動を防止し、構造１００に剛性又は荷重担持能力を与える。
【００９９】
図１及び図２を全体的に参照し、特に例えば図３、図５、及び図７を参照すると、第１の翼桁１２６は、第１の翼桁フランジ１３０を備え、第２の翼桁１２８は、第２の翼桁フランジ１３２を備える。２つの端部ブレース２１０の第１の１つは、第１の翼桁１２６の第１の翼桁フランジ１３０の１つに接合され、２つの端部ブレース２１０の第２の１つは、第２の翼桁１２８の第２の翼桁フランジ１３２の１つに接合される。このパラグラフの前述の主題事項は、本開示の実施例１２を特徴付け、実施例１２は上記の実施例１１の主題事項を含む。
【０１００】
ブレース２００の列２０８の各１つを第１の翼桁１２６及び第２の翼桁１２８に結合するために、第１の翼桁フランジ１３０は、２つの端部ブレース２１０の１つを第１の翼桁１２６に結合することを可能にし、第２の翼桁フランジ１３２は、２つの端部ブレース２１０の対向する１つを第２の翼桁１２８に結合することを可能にする。
【０１０１】
図１及び図２を全体的にし、特に例えば図５を参照すると、構造１００は、ブレース２００の少なくとも２つの列２０８と、第１のパネル１０２、第２のパネル１０４、第１のストリンガ１０６、第２のストリンガ１０８、第１の翼桁１２６及び第２の翼桁１２８との間に気密シール１３４を更に備える。このパラグラフの前述の主題事項は、本開示の実施例１３を特徴付け、実施例１３は上記の実施例１１又は１２のいずれかの主題事項を含む。
【０１０２】
ブレース２００の少なくとも２つの列２０８と、第１のパネル１０２、第２のパネル１０４、第１のストリンガ１０６、第２のストリンガ１０８、第１の翼桁１２６及び第２の翼桁１２８との間に気密シール１３４を加えることによって、ブレース２００の少なくとも２つの列２０８と、第１のパネル１０２、第２のパネル１０４、第１のストリンガ１０６、第２のストリンガ１０８、第１の翼桁１２６及び第２の翼桁１２８とを密接に閉じ、一体にする。
【０１０３】
一実施例として、気密シール１３４が、ブレース２００の少なくとも２つの列２０８と、第１のパネル１０２、第２のパネル１０４、第１のストリンガ１０６、第２のストリンガ１０８、第１の翼桁１２６及び第２の翼桁１２８との任意の共通の接触面の間、及び任意の共通の接触面の周りに形成される。
【０１０４】
一実施例として、気密シール１３４は、液体不透過シール（例えば、流体気密シール）である。一実施例として、気密シール１３４は、ガス不透過シール（例えば、空気気密シール）である。
【０１０５】
一般的な、限定しない一実施例として、気密シール１３４は接着剤である。一般的な、限定しない一実施例として、気密シール１３４はゴムシーラントである。一般的な、限定しない一実施例として、気密シール１３４はシリコンシーラントである。一般的な、限定しない一実施例として、気密シール１３４はフルオロシリコンシーラントである。特定の限定しない一実施例として、気密シール１３４は、ミシガン州、ＭｉｄｌａｎｄのＤｏｗ  Ｃｏｒｎｉｎｇ（登録商標）Ｃｏｒｐｏｒａｔｉｏｎから市販されている７３０  ＦＳ耐溶剤性シーラントである。
【０１０６】
一実施例として、気密シール１３４は、例えば燃料が漏れる可能性がある隙間又は割れ目が存在する場所はすべて、部分インターフェイスのコーナの中に気密シール１３４をブラシで塗ることによって、塗布される（例えば、手で又は自動化システムによって）。
【０１０７】
図１及び図２を全体的に参照し、特に例えば図５を参照すると、気密シール１３４は、ブレース２００の少なくとも２つの列２０８のブレース２００の間にも存在する。このパラグラフの前述の主題事項は、本開示の実施例１４を特徴付け、実施例１４は上記の実施例１３の主題事項を含む。
【０１０８】
気密シール１３４をブレース２００の少なくとも２つの列２０８のブレース２００の間に塗布することによって、ブレース２００の少なくとも２つの列２０８のブレース２００を密接に閉じ、一体にする。
【０１０９】
一実施例として、気密シール１３４は、ブレース２００の少なくとも２つの列２０８のブレース２００の１つに横方向に隣接する、ブレース２００の各１つとブレース２００の他の１つとの共通の接触面の間、又は共通の接触面の周りに形成される。
【０１１０】
一実施例として、図６に最もよく図示されるように、気密封止される（例えば、気密シール１３４は、ブレース２００の少なくとも２つの列２０８と、第１のパネル１０２、第２のパネル１０４、第１のストリンガ１０６、第２のストリンガ１０８、第１の翼桁１２６及び第２の翼桁１２８との間、並びにブレース２００の少なくとも２つの列２０８のブレース２００の間に付着される）ブレース２００の少なくとも２つの列２０８が、構造１００の内部の中に封止された区画１６８を形成する。一実施例として、気密封止されるブレース２００の少なくとも２つの列２０８が、航空機の翼の内部に封止された燃料区画（例えば、区画１６８）を形成する。
【０１１１】
一実施例として、気密封止されるブレース２００の少なくとも２つの列２０８が、列２０８の配列２１２のブレース２００の長手方向に隣接する列２０８である。
【０１１２】
一実施例として、列２０８の配列２１２の少なくとも１つの列２０８が、気密封止されるブレース２００の少なくとも２つの列２０８の間に配置される。気密封止されるブレース２００の少なくとも２つの列２０８の間に配置される、列２０８の配列２１２の少なくとも１つの列２０８は、燃料が、気密封止されるブレース２００の少なくとも２つの列２０８の間に配置される、列２０８の配列２１２の少なくとも１つの列２０８を通過することを可能にする。
【０１１３】
図１及び図２を全体的に参照し、特に例えば図４及び図８から図１０を参照すると、各ブレース２００は、第１の端部２１４及び第１の端部２１４の反対側の第２の端部２１６を更に備える。各ブレース２００は、第１の端部２１４と第２の端部２１６との間に延伸する第１の側部２１８、及び第１の側部２１８の反対側に、第１の端部２１４と第２の端部２１６との間に延伸する第２の側部２２０を更に備える。加えて、各ブレース２００は、第１の端部２１４に隣接する２つの第１のコーナ２２２、及び第２の端部２１６に隣接する２つの第２のコーナ２２４を備える。第１のインターロック２０４の第１の１つは、各ブレース２００の２つの第１のコーナ２２２の１つに配置され、第１のインターロック２０４の第２の１つは、各ブレース２００の２つの第１のコーナ２２２の他の１つに配置される。第２のインターロック２０６の第１の１つは、各ブレース２００の２つの第２のコーナ２２４の１つに配置され、第２のインターロック２０６の第２の１つは、各ブレース２００の２つの第２のコーナ２２４の他の１つに配置される。このパラグラフの前述の主題事項は、本開示の実施例１５を特徴付け、実施例１５は上記の実施例２から１４のいずれかの主題事項を含む。
【０１１４】
第１のインターロック２０４が対向する２つの第１のコーナ２２２に配置されること、及び第２のインターロック２０６が対向する２つの第２のコーナ２２４に配置されることによって、第１のインターロック２０４を第１のストリンガ１０６のストリンガの対Ａの１つに対して適切に配置して、第１のストリンガ１０６のストリンガの対Ａの１つを幾何学的に係合し、第２のインターロック２０６を、ストリンガの対Ａの１つの反対側の第２のストリンガ１０８のストリンガの対Ｂの１つに対して適切に配置して、第２のストリンガ１０８のストリンガの対Ｂの１つに幾何学的に係合する。
【０１１５】
一実施例として、２つの第１のコーナ２２２の１つが、第１の端部２１４及び第１の側部２１８によって形成され、２つの第１のコーナ２２２の他の１つが、第１の端部２１４及び第２の側部２２０によって形成され、２つの第２のコーナ２２４の１つが、第２の端部２１６及び第１の側部２１８によって形成され、２つの第２のコーナ２２４の他の１つが、第２の端部２１６及び第２の側部２２０によって形成される。
【０１１６】
一実施例として、図４に最もよく図示されるように、第１の端部２１４は、第１のストリンガ１０６のストリンガの対Ａの１つの間に完全に延伸して、第１のインターロック２０４の各１つを第１のストリンガ１０６のストリンガの対Ａの１つに係合させる（例えば、第１のインターロック２０４の各１つを第１のストリンガ１０６のストリンガの対Ａの１つに面接触させる）。第２の端部２１６は、第２のストリンガ１０８のストリンガの対Ｂの１つの間に完全に延伸して、第２のインターロック２０６の各１つを第２のストリンガ１０８のストリンガの対Ｂの１つに係合させる（例えば、第２のインターロック２０６の各１つを第２のストリンガ１０８のストリンガの対Ｂの１つに面接触させる）。
【０１１７】
一実施例として、図５及び図８に最もよく図示されるように、例えば、ブレース２００の列２０８のブレース２００の１つなど、ブレース２００の少なくとも１つは、第１のパネル１０２及び第２のパネル１０４に接触するように構成される。一実施例として、ブレース２００の１つの第１の端部２１４は、第１のパネル１０２の内面１６２まで延伸し、内面１６２に面接触する。ブレース２００の１つの第２の端部２１６は、第２のパネル１０４の内面１６４まで延伸し、内面１６４に面接触する。
【０１１８】
一実施例として、図５に最もよく図示されるように、気密シール１３４が、ブレース２００の１つの第１の端部２１４と第１のパネル１０２の内面１６２との間に、かつブレース２００の１つの第２の端部２１６と第２のパネル１０４の内面１６４との間に少なくとも部分的に配置される（例えば、形成される）。気密シール１３４が、第１のインターロック２０４と第１のストリンガ１０６のストリンガの対Ａの１つとの間、かつ第２のインターロック２０６と第２のストリンガ１０８のストリンガの対Ｂの１つとの間に少なくとも部分的に配置される（例えば、形成される）。気密シール１３４が、ブレース２００の列２０８のブレース２００の１つと、ブレース２００の１つに横方向に隣接する、ブレース２００の列２０８のブレース２００の他の１つとの間に少なくとも部分的に配置される（例えば、形成される）。
【０１１９】
一実施例として、図４、図７、図９及び図１０に最もよく図示されるように、例えば、ブレース２００の列２０８のブレース２００の１つなど、ブレース２００の少なくとも１つは、第１のパネル１０２及び第２のパネル１０４に接触するように構成される。一実施例として、ブレース２００の１つの第１の端部２１４は、第１のパネル１０２の内面１６２の方へ延伸するが、しかし内面１６２に面接触しない。ブレース２００の１つの第２の端部２１６は、第２のパネル１０４の内面１６４の方へ延伸するが、しかし内面１６４に面接触しない。
【０１２０】
一実施例として、図４に最もよく図示されるように、第１の側部２１８は、第１のストリンガ１０６のストリンガの対Ａの１つの第１のストリンガ１０６の第１の１つと、第１のストリンガ１０６の第１の１つの反対側の、第２のストリンガ１０８のストリンガの対Ｂの１つの第２のストリンガ１０８の第１の１つとの間に完全に延伸して、第１のインターロック２０４の第１の１つを第１のストリンガ１０６のストリンガの対Ａの１つの第１のストリンガ１０６の第１の１つに幾何学的に係合し（例えば、第１のインターロック２０４の第１の１つを第１のストリンガ１０６のストリンガの対Ａの１つの第１のストリンガ１０６の第１の１つに面接触させる）、第２のインターロック２０６の第１の１つを第２のストリンガ１０８のストリンガの対Ｂの１つの第２のストリンガ１０８の第１の１つに幾何学的に係合する（例えば、第２のインターロック２０６の第１の１つを第２のストリンガ１０８のストリンガの対Ｂの１つの第２のストリンガ１０８の第１の１つに面接触させる）。第２の側部２２０は、第１のストリンガ１０６のストリンガの対Ａの１つの第１のストリンガ１０６の第２の１つと、第１のストリンガ１０６の第２の１つの反対側の、第２のストリンガ１０８のストリンガの対Ｂの１つの第２のストリンガ１０８の第２の１つとの間に完全に延伸して、第１のインターロック２０４の第２の１つを第１のストリンガ１０６のストリンガの対Ａの１つの第１のストリンガ１０６の第２の１つに幾何学的に係合し（例えば、第１のインターロック２０４の第２の１つを第１のストリンガ１０６のストリンガの対Ａの１つの第１のストリンガ１０６の第２の１つに面接触させる）、第２のインターロック２０６の第２の１つを第２のストリンガ１０８のストリンガの対Ｂの１つの第２のストリンガ１０８の第２の１つに幾何学的に係合する（例えば、第２のインターロック２０６の第２の１つを第２のストリンガ１０８のストリンガの対Ｂの１つの第２のストリンガ１０８の第２の１つに面接触させる）。
【０１２１】
図１及び図２を全体的に参照し、特に例えば図４、図５及び図７から図１０を参照すると、各ブレース２００は、各ブレース２００の第１の側部２１８に沿って第１のブレースフランジ２２６を更に備える。各ブレースは、各ブレース２００の第２の側部２２０に沿って第２のブレースフランジ２２８を更に備える。ブレース２００の１つの第１のブレースフランジ２２６は、ブレース２００の他の１つの第２のブレースフランジ２２８に接合される。このパラグラフの前述の主題事項は、本開示の実施例１６を特徴付け、実施例１６は上記の実施例１５の主題事項を含む。
【０１２２】
第１のブレースフランジ２２６及び第２のブレースフランジ２２８は、ブレース２００の列２０８の１つのブレース２００の１つをブレース２００の列２０８の１つのブレース２００の他の１つに接合すること（例えば、結合すること）を可能にする。
【０１２３】
一実施例として、第１のブレースフランジ２２６は、第１の側部２１８から例えば垂直に外側へなど、外側へ延伸し、第２のブレースフランジ２２８は、第２の側部２２０から例えば垂直に外側へなど、外側へ延伸する。一実施例として、第１のブラケットフランジ２２６及び第２のブラケットフランジ２２８は、平行である。
【０１２４】
一実施例として、特に例えば図４、図５、図７及び図８から図１０に最もよく図示されるように、第１のブレースフランジ２２６は、第１の側部２１８の部分に沿って延伸し、第２のブレースフランジ２２８は、第２の側部２２０の部分に沿って延伸する。一実施例として、第１のブレースフランジ２２６は、第１のインターロック２０４の第１の１つと第２のインターロック２０６の第１の１つとの間に延伸し、第２のブレースフランジ２２８は、第１のインターロック２０４の第２の１つと第２のインターロック２０６の第２の１つとの間に延伸する。
【０１２５】
一実施例として、図４及び図５に最もよく図示されるように、ブレース２００の１つが、第１のストリンガ１０６のストリンガの対Ａの１つ及び第２のストリンガ１０８のストリンガの対Ｂの１つに幾何学的にインターロックされる場合、ブレース２００の１つの第１のブレースフランジ２２６は、第１のストリンガ１０６のストリンガの対Ａの１つの第１のストリンガ１０６の第１の１つと第２のストリンガ１０８のストリンガの対Ｂの１つの第２のストリンガ１０８の第１の１つとの間に延伸する（例えば、間に嵌合する）ように構成される（例えば、適切に寸法を形成され及び／又は成形される）。ブレース２００の１つが、第１のストリンガ１０６のストリンガの対Ａの１つ及び第２のストリンガ１０８のストリンガの対Ｂの１つに幾何学的にインターロックされる場合、ブレース２００の１つの第２のブレースフランジ２２８は、第１のストリンガ１０６のストリンガの対Ａの１つの第１のストリンガ１０６の第２の１つと第２のストリンガ１０８のストリンガの対Ｂの１つの第２のストリンガ１０８の第２の１つとの間に延伸する（例えば、間に嵌合する）ように構成される（例えば、適切に寸法を形成され及び／又は成形される）。
【０１２６】
一実施例として、ブレース２００の列２０８の１つのブレース２００の第１の１つは、第１のストリンガ１０６のストリンガの対Ａの第１の１つ及び第２のストリンガ１０８のストリンガの対Ｂの第１の１つに幾何学的にインターロックされる。ブレース２００の列２０８の１つのブレース２００の第２の１つは、ブレース２００の列２０８の１つのブレース２００の第１の１つに横方向に隣接して配置される。ブレース２００の列２０８の１つのブレース２００の第２の１つは、第１のストリンガ１０６のストリンガの対Ａの第２の１つ及び第２のストリンガ１０８のストリンガの対Ｂの第２の１つに幾何学的にインターロックされる。ストリンガの対Ａの第１の１つ及びストリンガの対Ａの第２の１つは、第１のストリンガ１０６の共通の１つを共有する。ストリンガの対Ｂの第１の１つ及びストリンガの対Ｂの第２の１つは、第２のストリンガ１０８の共通の１つを共有する。
【０１２７】
一実施例として、ブレース２００の列２０８の１つのブレース２００の第２の１つが、ブレース２００の列２０８の１つのブレース２００の第１の１つに横方向に隣接して配置され、第１のストリンガ１０６のストリンガの対Ａの第２の１つ及び第２のストリンガ１０８のストリンガの対Ｂの第２の１つに幾何学的にインターロックされると、ブレース２００の列２０８の１つのブレース２００の第２の１つの第１のブレースフランジ２２６は、ブレース２００の列２０８の１つのブレース２００の第１の１つの第２のブレースフランジ２２８に位置合わせされる。一実施例として、ブレース２００の列２０８の１つのブレース２００の第２の１つの第１のブレースフランジ２２６及びブレース２００の列２０８の１つのブレース２００の第１の１つの第２のブレースフランジ２２８は、互いに係合する（例えば、互いに面接触する）。
【０１２８】
一実施例として、ブレース２００の列２０８のブレース２００の１つの第１のブレースフランジ２２６、及びブレース２００の１つに横方向に隣接するブレース２００の列２０８のブレース２００の他の１つの第２のブレースフランジ２２８は、機械的に一体に結合される。一実施例として、ブレース２００の列２０８のブレース２００の１つの第１のブレースフランジ２２６、及びブレース２００の１つに横方向に隣接するブレース２００の列２０８のブレース２００の他の１つの第２のブレースフランジ２２８は、例えば複数の締め具によって機械的に締め付けられる（説明されるが、図５及び図７の中で明確に確認されない）。
【０１２９】
一実施例として、ブレース２００の各１つを第１のストリンガ１０６のストリンガの対Ａの１つ及び第２のストリンガ１０８のストリンガの対Ｂの１つに幾何学的にインターロックする前に、複数の締め具穴（説明されるが、図４及び図８から図１０の中で明確に確認されない）が、第１のブレースフランジ２２６及び第２のブレースフランジ２２８を貫通して形成される（例えば、機械加工される）。
【０１３０】
一実施例として、ブレース２００の各１つを第１のストリンガ１０６のストリンガの対Ａの１つ及び第２のストリンガ１０８のストリンガの対Ｂの１つに幾何学的にインターロックすることに続いて、複数の締め具穴（説明されるが、図４及び図８から図１０の中で明確に確認されない）が、第１のブレースフランジ２２６及び第２のブレースフランジ２２８を貫通して形成される（例えば、機械加工される）。
【０１３１】
一実施例として、ブレース２００の列２０８のブレース２００の１つの第１のブレースフランジ２２６、及びブレース２００の１つに横方向に隣接するブレース２００の列２０８のブレース２００の他の１つの第２のブレースフランジ２２８は、一体に接着される。一実施例として、接着剤２３６など、接着剤が、ブレース２００の列２０８のブレース２００の１つの第１のブレースフランジ２２６と、ブレース２００の１つに横方向に隣接するブレース２００の列２０８のブレース２００の他の１つの第２のブレースフランジ２２８との間に、配置される（例えば、塗布される）。
【０１３２】
一実施例として、ブレース２００の列２０８のブレース２００の１つの第１のブレースフランジ２２６、及びブレース２００の１つに横方向に隣接するブレース２００の列２０８のブレース２００の他の１つの第２のブレースフランジ２２８は、そうではなく剛体的に一体に接合される。一実施例として、ブレース２００の列２０８のブレース２００の１つの第１のブレースフランジ２２６、及びブレース２００の１つに横方向に隣接するブレース２００の列２０８のブレース２００の他の１つの第２のブレースフランジ２２８は、一体に溶接される。
【０１３３】
図１及び図２を全体的に参照し、特に例えば図８から図１０を参照すると、各ブレース２００は、厚さの方向２３０で測定される厚さＴを含む。各ブレース２００の第１のブレースフランジ２２６及び第２のブレースフランジ２２８は、厚さの方向２３０に互いからずれている。このパラグラフの前述の主題事項は、本開示の実施例１７を特徴付け、実施例１７は上記の実施例１６の主題事項を含む。
【０１３４】
各ブレース２００の第１のブレースフランジ２２６及び第２のブレースフランジ２２８がずれていることによって、ブレース２００の列２０８の１つのブレース２００の１つ及びブレース２００の列２０８の１つのブレース２００の他の１つが、協働する第１のブレースフランジ２２６及び第２のブレースフランジ２２８に沿って一体に接合されることが可能になる。
【０１３５】
一実施例として、ブレース２００の列２０８の１つのブレース２００の他の１つが、ブレース２００の列２０８の１つのブレース２００の１つに横方向に隣接して配置され、第１のストリンガ１０６のストリンガの対Ａの１つ及び第２のストリンガ１０８のストリンガの対Ｂの１つに幾何学的にインターロックされる場合、各ブレース２００の第１のブレースフランジ２２６及び第２のブレースフランジ２２８が第１のブレースフランジ２２６が厚さの方向２３０にずれていることによって、ブレース２００の列２０８の１つのブレース２００の１つの第１のブレースフランジ２２６をブレース２００の列２０８の１つのブレース２００の他の１つの第２のブレースフランジ２２８に対して適切な位置に配置することが可能になる。
【０１３６】
一実施例として、図８から図１０に最もよく図示されるように、各ブレース２００、例えば各ブレース２００のシャーシ２０２は、各ブレース２００の周囲の周りに延伸する面２４０を含む。面２４０は、第１の側部２１８、第２の側部２２０、第１の端部２１４、第２の端部２１６、第１のインターロック２０４及び第２のインターロック２０６の厚さＴを画定する。
【０１３７】
一実施例として、第１のブレースフランジ２２６は、第１の側部２１８を画定する面２４０から外側に延伸し、厚さの方向２３０に沿って第１の位置に配置される。第２のブレースフランジ２２８は、第２の側部２２０を画定する面２４０から外側に延伸し、厚さの方向２３０に沿って第２の位置に配置される。第１のブレースフランジ２２６の厚さの方向２３０に沿った第１の位置と第２のブレースフランジ２２８の厚さの方向２３０に沿った第２の位置とは異なる。第１のブレースフランジ２２６の厚さの方向２３０に沿った第１の位置と第２のブレースフランジ２２８の厚さの方向２３０に沿った第２の位置との間の直線距離は、第１のブレースフランジ２２６と第２のブレースフランジ２２８との間のずれを画定する。一実施例として、ずれは、概ね第１のブレースフランジ２２６又は第２のブレースフランジ２２８の厚さである。
【０１３８】
図１及び図２を全体的に参照し、特に例えば図１１、図１２、図４、図５及び図８から図１０を参照すると、第１のインターロック２０４の１つは、第１のインターロックの幾何学的形状を少なくとも部分的に画定する第１のインターロック面２３２を備え、第２のインターロック２０６の１つは、第２のインターロックの幾何学的形状を少なくとも部分的に画定する第２のインターロック面２３４を備える。第１のストリンガ１０６の１つは、第１のインターロックの幾何学的形状に補完的な第１のストリンガの幾何学的形状を少なくとも部分的に画定する第１のストリンガ面１３６を備え、第２のストリンガ１０８の１つは、第２のインターロックの幾何学的形状に補完的な第２のストリンガの幾何学的形状を少なくとも部分的に画定する第２のストリンガ面１３８を備える。第１のインターロック２０４の１つの第１のインターロック面２３２は、第１のストリンガ１０６の１つの第１のストリンガ面１３６に接触する。第２のインターロック２０６の１つの第２のインターロック面２３４は、第２のストリンガ１０８の１つの第２のストリンガ面１３８に接触する。このパラグラフの前述の主題事項は、本開示の実施例１８を特徴付け、実施例１８は上記の実施例２から１７のいずれかの主題事項を含む。
【０１３９】
第１のインターロック２０４の１つの第１のインターロック面２３２と第１のストリンガ１０６の１つの第１のストリンガ面１３６との間の接触によって、第１のインターロック２０４の１つが、第１のストリンガ１０６のストリンガの対Ａの１つの第１のストリンガ１０６の１つに係合することが可能になり、第２のインターロック２０６の１つの第２のインターロック面２３４と第２のストリンガ面１３８との間の接触によって、第２のインターロック２０６の１つが、第２のストリンガ１０８のストリンガの対Ｂの１つの第２のストリンガ１０８の１つに係合することが可能になる。
【０１４０】
一実施例として、面２４０の第１の部分が、第１のインターロック２０４の１つの第１のインターロック面２３２を画定し、面２４０の第２の部分が、第１のインターロック２０４の他の１つの第１のインターロック面２３２を画定し、面２４０の第３の部分が、第２のインターロック２０６の１つの第２のインターロック面２３２を画定し、面２４０の第４の部分が、第２のインターロック２０６の他の１つの第２のインターロック面２３２を画定する。
【０１４１】
一実施例として、第１のインターロック２０４の１つの第１のインターロック面２３２の第１の幾何学的形状は、異なる平面にある第１のインターロック面２３２の異なる部分によって画定される。一実施例として、第１のインターロック面２３２の第１の部分が、第１の平面に配置され、第１のインターロック面２３２の第２の部分が、第２の平面に配置され、第１のインターロック面２３２の第３の部分が、第３の平面に配置される。第２のインターロック２０６の１つの第１のインターロック面２３２の第２の幾何学的形状は、異なる平面にある第２のインターロック面２３４の異なる部分によって画定される。一実施例として、第２のインターロック面２３４の第１の部分が、第１の平面に配置され、第２のインターロック面２３４の第２の部分が、第２の平面に配置され、第２のインターロック面２３４の第３の部分が、第３の平面に配置される。
【０１４２】
一実施例として、第１のインターロック面２３２の第１の部分の第１の平面及び第１のインターロック面２３２の第２の部分の第２の平面が、互いに対してゼロではない角度で交差し、配置される。第１のインターロック面２３２の第２の部分の第２の平面及び第１のインターロック面２３２の第３の部分の第３の平面が、互いに対してゼロではない角度で交差し、配置される。同様に、第２のインターロック面２３４の第１の部分の第１の平面及び第２のインターロック面２３４の第２の部分の第２の平面が、互いに対してゼロではない角度で交差し、配置される。第２のインターロック面２３４の第２の部分の第２の平面及び第２のインターロック面２３４の第３の部分の第３の平面が、互いに対してゼロではない角度で交差し、配置される。
【０１４３】
第１のインターロック面２３２の第１のインターロック幾何学的形状は、第１のストリンガ面１３６の第１のストリンガの幾何学的形状に依存することができ、補完的であるように構成されることが可能である。第２のインターロック面２３４の第２のインターロック幾何学的形状は、第２のストリンガ面１３８の第２のストリンガの幾何学的形状に依存することができ、補完的であるように構成されることが可能である。一実施例として、第１のインターロック面２３２は、第１のインターロック幾何学的形状に依存する、より少ない平面、又は追加の平面の中に配置される、より少ない部分又は追加の部分を含むことができる。第２のインターロック面２３４は、第２のインターロック幾何学的形状に依存する、より少ない平面、又は追加の平面の中に配置される、より少ない部分又は追加の部分を含むことができる。一実施例として、第１のインターロック２０４の第１のインターロック幾何学的形状を画定する第１のインターロック面２３２の部分の数は、例えば第１のストリンガ面１３６の第１のストリンガの幾何学的形状など、第１のストリンガ１０６の形状に依存する。第２のインターロック２０６の第２のインターロック幾何学的形状を画定する第２のインターロック面２３４の部分の数は、例えば第２のストリンガ面１３８の第２のストリンガの幾何学的形状など、第２のストリンガ１０８の形状に依存する。
【０１４４】
図１及び図２を全体的に参照し、特に例えば図１１及び図１２を参照すると、第１のインターロック２０４の１つの第１のインターロック面２３２の少なくとも一部分が、第１のストリンガ１０６の１つの第１のストリンガ面１３６の少なくとも一部分に接着される。第２のインターロック２０６の１つの第２のインターロック面２３４の少なくとも一部分が、第２のストリンガ１０８の１つの第２のストリンガ面１３８の少なくとも一部分に接着される。このパラグラフの前述の主題事項は、本開示の実施例１９を特徴付け、実施例１９は上記の実施例１８の主題事項を含む。
【０１４５】
第１のインターロック２０４の１つの第１のインターロック面２３２の少なくとも一部分を第１のストリンガ１０６の１つの第１のストリンガ面１３６の少なくとも一部分に接着し、第２のインターロック２０６の１つの第２のインターロック面２３４の少なくとも一部分を第２のストリンガ１０８の１つの第２のストリンガ面１３８の少なくとも一部分に接着することによって、第１のストリンガ１０６のストリンガの対Ａの１つ及び第２のストリンガ１０８のストリンガの対Ｂの１つに各ブレース２００を接合し、例えば、第１のストリンガ１０６の１つ及び第２のストリンガ１０８の１つに平行な方向に移動することを防止する。
【０１４６】
一般的な、限定しない一実施例として、接着剤２３６はペースト接着剤である。一般的な、限定しない一実施例として、接着剤２３６はエポキシ系接着剤である。一実施例として、接着剤２３６は液体であり、及び／又は液体として塗布される。例えば、液体の接着剤２３６は、ブラシ又はローラーでインターフェイス領域（例えば、第１のインターロック２０４の１つの第１のインターロック面２３２の少なくとも一部分と第１のストリンガ１０６の１つの第１のストリンガ面１３６の少なくとも一部分との間、及び第２のインターロック２０６の１つの第２のインターロック面２３４の少なくとも一部分と第２のストリンガ１０８の１つの第２のストリンガ面１３８の少なくとも一部分との間）に塗布され得る。一実施例として、接着剤１６６はシート又はフィルムの形態であり、及び／又はシート又はフィルムとして付着される。例えば、シート又はフィルムの形態の接着剤１６６は、適切な形状に切断され（例えば、打ち抜き）、インターフェイス領域（例えば、第１のインターロック２０４の１つの第１のインターロック面２３２の少なくとも一部分と第１のストリンガ１０６の１つの第１のストリンガ面１３６の少なくとも一部分との間、及び第２のインターロック２０６の１つの第２のインターロック面２３４の少なくとも一部分と第２のストリンガ１０８の１つの第２のストリンガ面１３８の少なくとも一部分との間）に付着され得る。
【０１４７】
特定の限定しない一実施例として、接着剤２３６は、ミネソタ州Ｓｔ．  Ｐａｕｌの３Ｍ（商標）Ｃｏｒｐｏｒａｔｉｏｎから市販されているＳｃｏｔｃｈ−Ｗｅｌｄ（商標）構造フィルム接着剤である。特定の限定しない一実施例として、接着剤２３６は、コネチカット州Ｒｏｃｋｙ  ＨｉｌｌのＨｅｎｋｅｌ  Ｃｏｒｐｏｒａｔｉｏｎから市販されているＨｙｓｏｌ（登録商標）ＰＬ  ６９６（商標）構造フィルム接着剤である。
【０１４８】
一実施例として、接着剤２３６は手でインターフェイス領域に付着され得る。一実施例として、接着剤２３６は自動化システム、例えば、アプリケーション固有のエンドエフェクタ（図示せず）を用いてロボットアームによってインターフェイス領域に付着され得る。
【０１４９】
一実施例として、接着剤２３６は、接着剤を硬化し、第１のインターロック面２３２と第１のストリンガ面１３６との間の接着、及び第２のインターロック面２３４と第２のストリンガ面１３８との間の接着を形成するという二次工程を利用することができる。一実施例として、二次（例えば、硬化）工程は高温硬化工程であることができる。一実施例として、二次工程は中温硬化工程であることができる。一実施例として、二次工程はオートクレーブ硬化工程であることができる。特定の硬化工程は、様々な要因、例えば接着剤２３６の選択された製剤形態に依存する可能性があることを当業者は認識するであろう。
【０１５０】
一実施例として、図１１に最もよく図示されるように、接着剤２３６は、第１のインターロック面２３２と第１のストリンガ面１３６との間に配置（例えば、塗布）される。一実施例として、図１２に最もよく図示されるように、接着剤２３６は、第２のインターロック面２３４と第２のストリンガ面１３８との間に配置（例えば、塗布）される。
【０１５１】
一実施例として、第１のストリンガ１０６のストリンガの対Ａの１つ及び第２のストリンガ１０８のストリンガの対Ｂの１つにブレース２００の１つを幾何学的にインターロックする前に、接着剤２３６が、ブレース２００の１つの第１のインターロック２０４の第１のインターロック面２３２の少なくとも一部分、及びブレース２００の１つの第２のインターロック２０６の第２のインターロック面２３４の少なくとも一部分に塗布される。
【０１５２】
一実施例として、第１のストリンガ１０６のストリンガの対Ａの１つ及び第２のストリンガ１０８のストリンガの対Ｂの１つにブレース２００の１つの１つを幾何学的にインターロックすることに続いて、接着剤２３６が、ブレース２００の１つの第１のインターロック２０４の第１のインターロック面２３２の少なくとも一部分、及びブレース２００の第２のインターロック２０６の第２のインターロック面２３４の少なくとも一部分に塗布される。
【０１５３】
図１及び図２を全体的に参照し、特に例えば図１１及び図１２、並びに図３から図５を参照すると、第１のストリンガ１０６の１つは、第１のストリンガ面１３６の第１の部分Ｉを画定する第１のフット１４０を備える。第１のストリンガ１０６の１つは、第１のフット１４０から突出し、第１のストリンガ面１３６の第２の部分Ｉを画定する第１のウェブ１４２を更に備える。第１のストリンガ１０６の１つは、第１のウェブ１４２の端部に位置し、第１のストリンガ面１３６の第３の部分Ｉを画定する第１のクラウン１４４を更に備える。第２のストリンガ１０８の１つは、第２のストリンガ面１３８の第１の部分ＩＩを画定する第２のフット１４６を備える。第２のストリンガ１０８の１つは、第２のフット１４６から突出し、第２のストリンガ面１３８の第２の部分ＩＩを画定する第２のウェブ１４８を更に備える。第２のストリンガ１０８の１つは、第２のウェブ１４８の端部に位置し、第２のストリンガ面１３８の第３の部分ＩＩを画定する第２のクラウン１５０を更に備える。このパラグラフの前述の主題事項は、本開示の実施例２０を特徴付け、実施例２０は上記の実施例１８又は１９のいずれかの主題事項を含む。
【０１５４】
第１のフット１４０、第１のウェブ１４２及び第１のクラウン１４４は、第１のストリンガ１０６の構造特性及び荷重担持特性を形成し、第１のインターロック２０４の第１のインターロック面２３２の第１のインターロック幾何学的形状を規定する。第２のフット１４６、第２のウェブ１４８及び第２のクラウン１５０は、第２のストリンガ１０８の構造特性及び荷重担持特性を形成し、第２のインターロック２０６の第２のインターロック面２３４の第２のインターロック幾何学的形状を規定する。
【０１５５】
一実施例として、各第１のストリンガ１０６の第１のフット１４０は、第１のパネル１０２の内面１６２に結合される。一実施例として、第１のフット１４０は、第１のパネル１０２と共硬化される。一実施例として、第１のフット１４０は、第１のパネル１０２と共接着される。一実施例として、第１のフット１４０は、第１のパネル１０２に二次的に接着される。一実施例として、第１のフット１４０は、第１のパネル１０２に機械的に締め付けられる。一実施例として、各第２のストリンガ１０８の第２のフット１４６は、第２のパネル１０４の内面１６４に結合される。一実施例として、第２のフット１４６は、第２のパネル１０４と共硬化される。一実施例として、第２のフット１４６は、第２のパネル１０４と共接着される。一実施例として、第２のフット１４６は、第２のパネル１０４に二次的に接着される。一実施例として、第２のフット１４６は、第２のパネル１０４に機械的に締め付けられる。
【０１５６】
一実施例として、図１１に最もよく図示されるように、第１のストリンガ面１３６の第１の部分Ｉ、第２の部分Ｉ及び第３の部分Ｉは、第１のストリンガ１０６の１つの第１のストリンガの幾何学的形状を画定する。一実施例として、第１のインターロック面２３２の第１の部分は、第１のストリンガ１０６の１つの第１のフット１４０によって形成される第１のストリンガ面１３６の第１の部分Ｉに対して補完的であり（例えば、一致し）、幾何学的に係合する。第１のインターロック面２３２の第２の部分は、第１のストリンガ１０６の１つの第１のウェブ１４２によって形成される第１のストリンガ面１３６の第２の部分Ｉに対して補完的であり（例えば、一致し）、幾何学的に係合する。第１のインターロック面２３２の第３の部分は、第１のストリンガ１０６の１つの第１のクラウン１４４によって形成される第１のストリンガ面１３６の第３の部分Ｉに対して補完的であり（例えば、一致し）、幾何学的に係合する。
【０１５７】
一実施例として、第１のフット１４０の各側部は、ブレース２００の１つの第１のインターロック２０４の１つの第１のインターロック面２３２の第１の部分が幾何学的に係合する第１のストリンガ面１３６の第１の部分Ｉを画定する。第１のウェブ１４２の各側部は、ブレース２００の１つの第１のインターロック２０４の１つの第１のインターロック面２３２の第２の部分が幾何学的に係合する第１のストリンガ面１３６の第２の部分Ｉを画定する。第１のクラウン１４４の各側部は、ブレース２００の１つの第１のインターロック２０４の１つの第１のインターロック面２３２の第３の部分が幾何学的に係合する第１のストリンガ面１３６の第３の部分Ｉを画定する。
【０１５８】
一実施例として、ブレース２００の各１つの厚さＴ（例えば面２４０の）は、第１のインターロック面２３２と第１のストリンガ面１３６との間の接触面領域を画定する。第１のインターロック面２３２と第１のストリンガ面１３６との間の接触面領域は、第１のパネル１０２、第２のパネル１０４及び／又はブレース２００に加えられる任意の引張り（例えば、引抜き）荷重に作用するために十分であることができる。
【０１５９】
一実施例として、図１２に最もよく図示されるように、第２のストリンガ面１３８の第１の部分ＩＩ、第２の部分ＩＩ及び第３の部分ＩＩは、第２のストリンガ１０８の１つの第２のストリンガの幾何学的形状を画定する。一実施例として、第２のインターロック面２３４の第１の部分は、第２のストリンガ１０８の１つの第２のフット１４６によって形成される第２のストリンガ面１３８の第１の部分ＩＩに対して補完的であり（例えば、一致し）、幾何学的に係合する。第２のインターロック面２３４の第２の部分は、第２のストリンガ１０８の１つの第２のウェブ１４８によって形成される第２のストリンガ面１３８の第２の部分ＩＩに対して補完的であり（例えば、一致し）、幾何学的に係合する。第２のインターロック面２３４の第３の部分は、第２のストリンガ１０８の１つの第２のクラウン１５０によって形成される第２のストリンガ面１３８の第３の部分ＩＩに対して補完的であり（例えば、一致し）、幾何学的に係合する。
【０１６０】
一実施例として、第２のフット１４６の各側部は、ブレース２００の１つの第２のインターロック２０６の１つの第２のインターロック面２３４の第１の部分が幾何学的に係合する第２のストリンガ面１３８の第１の部分ＩＩを画定する。第２のウェブ１４８の各側部は、ブレース２００の１つの第２のインターロック２０６の１つの第２のインターロック面２３４の第２の部分が幾何学的に係合する第２のストリンガ面１３８の第２の部分ＩＩを画定する。第２のクラウン１５０の各側部は、ブレース２００の１つの第２のインターロック２０６の１つの第２のインターロック面２３４の第３の部分が幾何学的に係合する第２のストリンガ面１３８の第３の部分ＩＩを画定する。
【０１６１】
一実施例として、ブレース２００の各１つの厚さＴ（例えば面２４０の）は、第２のインターロック面２３４と第２のストリンガ面１３８との間の接触面領域を画定する。第２のインターロック面２３４と第２のストリンガ面１３８との間の接触面領域は、第１のパネル１０２、第２のパネル１０４及び／又はブレース２００に加えられる任意の引張り（例えば、引抜き）荷重に作用するために十分であることができる。
【０１６２】
図１及び図２を全体的に参照し、特に例えば図１１及び図１２を参照すると、第１のストリンガ１０６の１つの第１のクラウン１４４及び第２のストリンガ１０８の１つの第２のクラウン１５０は中空である。このパラグラフの前述の主題事項は、本開示の実施例２１を特徴付け、実施例２１は上記の実施例２０の主題事項を含む。
【０１６３】
第１のストリンガ１０６の１つの第１のクラウン１４４及び第２のストリンガ１０８の１つの第２のクラウン１５０が中空であることによって、構造１００の重量を低減する。
【０１６４】
一実施例として、１つの第１のストリンガ１０６の第１のクラウン１４４及び１つ又は複数の第２のストリンガ１０８の第２のクラウン１５０が中空であることによって、航空機の重量を低減する。
【０１６５】
一実施例として、第１のストリンガ１０６及び第２のストリンガ１０８は複合材であり、したがって、第１のクラウン１４４及び第２のクラウン１５０は複合材である。一実施例として、硬化工程を実施する前に、第１のクラウン１４４及び第２のクラウン１５０の中空区分を形成するために、複合層（例えば、複合ラミネート又はプライ）の間にブラダ又はマンドレルを配置することによって、第１のストリンガ１０６及び第２のストリンガ１０８は製造される。硬化工程は、例えばオーブン又はオートクレーブの中で、複合材ストリンガの中のポリマー材料を補強又は硬化する工程である。ブラダは、硬化工程中に、第１のクラウン１４４及び第２のクラウン１５０の内部構造を支持するために膨張される。ブラダ又はマンドレルは、硬化工程に続いて除去されて、第１のクラウン１４４及び第２のクラウン１５０の内部に形成された中空空間を残す。
【０１６６】
一実施例として、第１のストリンガ１０６の１つの第１のクラウン１４４及び第２のストリンガ１０８の１つの第２のクラウン１５０は、内部に充填される発泡体を画定する。一実施例として、第１のストリンガ１０６の１つの第１のクラウン１４４及び第２のストリンガ１０８の１つの第２のクラウン１５０は、内部中空空間と共に形成され、発泡体で充填されることが可能である。第１のクラウン１４４及び第２のクラウン１５０の内部に配置される発泡体が、第１のストリンガ１０６及び第２のストリンガ１０８の構造特性及び荷重担持特性を向上させるが、しかし、中実の第１のストリンガ１０６及び中実の第２のストリンガ１０８と比較すると全体的な重量が減少する。
【０１６７】
図１及び図２を全体的に参照し、特に例えば図１１及び図１２を参照すると、第１のストリンガ１０６の１つの第１のクラウン１４４及び第２のストリンガ１０８の１つの第２のクラウン１５０は、それぞれ三角形の横断面形状を含む。このパラグラフの前述の主題事項は、本開示の実施例２２を特徴付け、実施例２２は上記の実施例２０又は２１のいずれかの主題事項を含む。
【０１６８】
三角形の横断面形状を含む第１のクラウン１４４は、少なくとも１つの平面に配置される第１のストリンガ面１３６の第３の部分Ｉを形成し、三角形の横断面形状を含む第２のクラウン１５０は、少なくとも１つの平面に配置される第２のストリンガ面１３８の第３の部分ＩＩを形成して、第１のパネル１０２及び／又は第２のパネル１０４に加えられる引張り荷重に作用する。
【０１６９】
一実施例として、図１１に最もよく図示されるように、第１のクラウン１４４の三角形の横断面形状の１つの側部が、第１のストリンガ面１３６の第３の部分Ｉを画定する。第１のストリンガ面１３６の第３の部分Ｉは、第１のストリンガ面１３６の第２の部分Ｉからゼロではない角度（例えば、９０°よりも大きく、１８０°未満の鈍角）で離れて延伸する（例えば、第２の部分Ｉに対して配置される）。
【０１７０】
一実施例として、第１のストリンガ面１３６の第３の部分Ｉは、第１のパネル１０２及び／又は第２のパネル１０４に加えられる引張り荷重に応答して、第１のインターロック面２３２の第３の部分と作用する。一実施例として、第１のストリンガ面１３６の第１の部分Ｉは、第１のパネル１０２及び／又は第２のパネル１０４に加えられる圧縮荷重に応答して、第１のインターロック面２３２の第１の部分と作用する。
【０１７１】
一実施例として、図１２に最もよく図示されるように、第２のクラウン１５０の三角形の横断面形状の１つの側部が、第２のストリンガ面１３８の第３の部分ＩＩを画定する。第２のストリンガ面１３８の第３の部分ＩＩは、第２のストリンガ面１３８の第２の部分ＩＩからゼロではない角度（例えば、９０°よりも大きく、１８０°未満の鈍角）で離れて延伸する（例えば、第２の部分ＩＩに対して配置される）。
【０１７２】
一実施例として、第２のストリンガ面１３８の第３の部分ＩＩは、第１のパネル１０２及び／又は第２のパネル１０４に加えられる引張り荷重に応答して、第２のインターロック面２３４の第３の部分と作用する。一実施例として、第２のストリンガ面１３８の第１の部分ＩＩは、第１のパネル１０２及び／又は第２のパネル１０４に加えられる圧縮荷重に応答して、第２のインターロック面２３４の第１の部分と作用する。
【０１７３】
図１及び図２を全体的に参照し、特に例えば図１１及び図１２を参照すると、第１のストリンガ１０６の１つの第１のクラウン１４４及び第２のストリンガ１０８の１つの第２のクラウン１５０は、それぞれ矩形の横断面形状を含む。このパラグラフの前述の主題事項は、本開示の実施例２３を特徴付け、実施例２３は上記の実施例２０又は２１のいずれかの主題事項を含む。
【０１７４】
矩形の横断面形状を含む第１のクラウン１４４は、少なくとも２つの平面に配置される第１のストリンガ面１３６の第３の部分Ｉを形成し、矩形の横断面形状を含む第２のクラウン１５０は、少なくとも２つの平面に配置される第２のストリンガ面１３８の第３の部分ＩＩを形成して、第１のパネル１０２及び／又は第２のパネル１０４に加えられる引張り荷重に作用する。
【０１７５】
一実施例として、第１のクラウン１４４の矩形の横断面形状の１つの側部が、第１のストリンガ面１３６の第３の部分Ｉを画定する。第１のストリンガ面１３６の第３の部分Ｉの第１の部分は、第１のストリンガ面１３６の第２の部分Ｉからゼロではない角度（例えば、約９０°）で離れて延伸し（例えば、第２の部分Ｉに対して配置される）、第１のストリンガ面１３６の第３の部分Ｉの第２の部分は、第１のストリンガ面１３６の第３の部分Ｉの第１の部分からゼロではない角度（例えば、約９０°）で離れて延伸する（例えば、第３の部分Ｉに対して配置される）。
【０１７６】
一実施例として、第２のクラウン１５０の矩形の横断面形状の１つの側部が、第２のストリンガ面１３８の第３の部分ＩＩを画定する。第２のストリンガ面１３８の第３の部分ＩＩの第１の部分は、第２のストリンガ面１３８の第２の部分ＩＩからゼロではない角度（例えば、約９０°）で離れて延伸し（例えば、第２の部分ＩＩに対して配置される）、第２のストリンガ面１３８の第３の部分ＩＩの第２の部分は、第２のストリンガ面１３８の第３の部分ＩＩの第１の部分からゼロではない角度（例えば、約９０°）で離れて延伸する（例えば、第３の部分ＩＩに対して配置される）。
【０１７７】
図１及び図２を全体的に参照し、特に例えば図１１及び図１２を参照すると、第１のストリンガ１０６の１つの第１のクラウン１４４及び第２のストリンガ１０８の１つの第２のクラウン１５０は、それぞれ円形の横断面形状を含む。このパラグラフの前述の主題事項は、本開示の実施例２４を特徴付け、実施例２４は上記の実施例２０又は２１のいずれかの主題事項を含む。
【０１７８】
円形の横断面形状を含む第１のクラウン１４４は、複数の平面に配置される第１のストリンガ面１３６の第３の部分Ｉを形成し、円形の横断面形状を含む第２のクラウン１５０は、複数の平面に配置される第２のストリンガ面１３８の第３の部分ＩＩを形成して、第１のパネル１０２及び／又は第２のパネル１０４に加えられる引張り荷重に作用する。
【０１７９】
一実施例として、第１のクラウン１４４の円形の横断面形状の１つの側部が、第１のストリンガ面１３６の第３の部分Ｉを画定する。第１のストリンガ面１３６の第３の部分Ｉは、第１のストリンガ面１３６の第２の部分Ｉから円弧の形態で離れて延伸する。
【０１８０】
一実施例として、第２のクラウン１５０の円形の横断面形状の１つの側部が、第２のストリンガ面１３８の第３の部分ＩＩを画定する。第２のストリンガ面１３８の第３の部分ＩＩは、第２のストリンガ面１３８の第２の部分ＩＩから円弧の形態で離れて延伸する。
【０１８１】
図１及び図２を全体的に参照し、特に例えば図１１及び図１２を参照すると、第１のストリンガ１０６の１つの第１のクラウン１４４及び第２のストリンガ１０８の１つの第２のクラウン１５０は、それぞれ楕円形の横断面形状を含む。このパラグラフの前述の主題事項は、本開示の実施例２５を特徴付け、実施例２５は上記の実施例２０又は２１のいずれかの主題事項を含む。
【０１８２】
卵形の横断面形状を含む第１のクラウン１４４は、複数の平面に配置される第１のストリンガ面１３６の第３の部分Ｉを形成し、卵形の横断面形状を含む第２のクラウン１５０は、複数の平面に配置される第２のストリンガ面１３８の第３の部分ＩＩを形成して、第１のパネル１０２及び／又は第２のパネル１０４に加えられる引張り荷重に作用する。
【０１８３】
一実施例として、第１のクラウン１４４の楕円形の横断面形状の１つの側部が、第１のストリンガ面１３６の第３の部分Ｉを画定する。第１のストリンガ面１３６の第３の部分Ｉは、第１のストリンガ面１３６の第２の部分Ｉから円弧の形態で離れて延伸する。
【０１８４】
一実施例として、第２のクラウン１５０の楕円形の横断面形状の１つの側部が、第２のストリンガ面１３８の第３の部分ＩＩを画定する。第２のストリンガ面１３８の第３の部分ＩＩは、第２のストリンガ面１３８の第２の部分ＩＩから円弧の形態で離れて延伸する。
【０１８５】
図１及び図２を全体的に参照し、特に例えば図３から図５を参照すると、ブレース２００の少なくとも１つが、第１のストリンガ１０６のストリンガの対Ａの少なくとも１つ、及び第２のストリンガ１０８のストリンガの対Ｂに接着される。このパラグラフの前述の主題事項は、本開示の実施例２６を特徴付け、実施例２６は上記の実施例２から２５のいずれかの主題事項を含む。
【０１８６】
ブレース２００の少なくとも１つを第１のストリンガ１０６のストリンガの対Ａ及び第２のストリンガ１０８のストリンガの対Ｂの少なくとも１つに接着することによって、第１のストリンガ１０６及び第２のストリンガ１０８に平行な方向へブレース２００の少なくとも１つを拘束する。
【０１８７】
一実施例として、図４、図８、図１１及び図１２に最もよく図示されるように、接着剤２３６は、第１のインターロック２０４の各１つと第１のストリンガ１０６のストリンガの対Ａの１つの第１のストリンガ１０６の各１つとの間に塗布される。接着剤２３６は、第２のインターロック２０６の各１つと第２のストリンガ１０８のストリンガの対Ｂの１つの第２のストリンガ１０８の各１つとの間に塗布される。
【０１８８】
図１及び図２を全体的に参照し、特に例えば図３から図５を参照すると、ブレース２００の少なくとも１つが、第１のストリンガ１０６のストリンガの対Ａ、及び第２のストリンガ１０８のストリンガの対Ｂの少なくとも１つに機械的に結合される。このパラグラフの前述の主題事項は、本開示の実施例２７を特徴付け、実施例２７は上記の実施例２から２６のいずれかの主題事項を含む。
【０１８９】
ブレース２００の少なくとも１つを第１のストリンガ１０６のストリンガの対Ａ及び第２のストリンガ１０８のストリンガの対Ｂの少なくとも１つに機械的に結合することによって、第１のストリンガ１０６及び第２のストリンガ１０８に平行な方向へブレース２００の少なくとも１つを拘束する。
【０１９０】
一実施例として、機械的結合は、ブレース２００の１つと第１のストリンガ１０６のストリンガの対Ａの１つ及び第２のストリンガ１０８のストリンガの対Ｂの１つとの間に連結される。一実施例として、機械的結合は、第１のインターロック２０４の各１つと第１のストリンガ１０６のストリンガの対Ａの１つの第１のストリンガ１０６の各１つとの間に連結される。接着剤２３６は、第２のインターロック２０６の各１つと第２のストリンガ１０８のストリンガの対Ｂの１つの第２のストリンガ１０８の各１つとの間に塗布される。一実施例として、機械的結合は、締め具である。一実施例として、機械的結合は、クランプである。一実施例として、機械的結合は、クリップである。一実施例として、機械的結合は、ピンである。
【０１９１】
一実施例として、ブレース２００の少なくとも１つが、第１のストリンガ１０６のストリンガの対Ａ、及び第２のストリンガ１０８のストリンガの対Ｂの少なくとも１つに接着され、機械的に結合される。
【０１９２】
例えば図１から図４を参照すると、構造１００の第１のパネル１０２に結合される第１のストリンガ１０６のストリンガの対Ａと第２のパネル１０４に結合される第２のストリンガ１０８のストリンガの対Ｂとを幾何学的にインターロックするためのブレース２００が開示される。ブレース２００は、第１のインターロック２０４及び第１のインターロック２０４の反対側の第２のインターロック２０６を備えるシャーシ２０２を備える。第１のインターロック２０４が、第１のストリンガ１０６のストリンガの対Ａの１つに幾何学的に係合し、第２のインターロック２０６が、第２のストリンガ１０８のストリンガの対Ｂの１つに幾何学的に係合して、第１のストリンガ１０６及び第２のストリンガ１０８に垂直な平面１１２に沿ったすべての方向で、ブレース２００を拘束する。このパラグラフの前述の主題事項は、本開示の実施例２８を特徴付ける。
【０１９３】
第１のストリンガ１０６のストリンガの対Ａ及び第２のストリンガ１０８のストリンガの対Ｂをブレース２００に幾何学的にインターロックすることによって、ブレース２００を第１のストリンガ１０６及び／又は第２のストリンガ１０８に機械的に締め付ける、並びに／あるいはブレース２００を第１のパネル１０２及び／又は第２のパネル１０４に機械的に締め付ける必要をなくすことはないにしても、著しく低減し、したがって、構造１００を製造するステップ（例えば、組立）における時間、費用、複雑さ及び／又は困難さを著しく低減する。
【０１９４】
一実施例として、図８に最もよく図示されるように、ブレース２００（例えば、ブレース２００のシャーシ２０２）は中実である。一実施例として、ブレース２００のシャーシ２０２は、一定である厚さＴを含む。本明細書で使用する場合、「中実」とは開口部又は裂け目のない三次元の本体を指す。
【０１９５】
一実施例として、図９に最もよく図示されるように、ブレース２００（例えば、ブレース２００のシャーシ２０２）はウェブ２４２及びフランジ２４４を含む。一実施例として、フランジ２４４は、ウェブ２４２に結合され、ウェブ２４２から例えば垂直に外側へ延伸する。一実施例として、フランジ２４４は、ウェブ２４２と一体であり、ウェブ２４２から例えば垂直に外側へ延伸する。ウェブ２４２はフランジ２４４を相互結合し、フランジ２４４はウェブ２４２のための補剛材として機能する。
【０１９６】
一実施例として、外部フランジ２４４は、ブレース２００の面２４０、及びしたがって、ブレース２００の厚さＴを画定する。一実施例として、外部フランジ２４４は、ブレース２００の第１の側部２１８、第２の側部２２０、第１の端部２１４及び第２の端部２１６を形成する。一実施例として、外部フランジ２４４は、第１のインターロック２０４を形成し、例えば、フランジ２４４の外面は、第１のインターロック２０４の第１のインターロック面２３２を画定する。一実施例として、外部フランジ２４４は、第２のインターロック２０６を形成し、例えば、フランジ２４４の外面は、第２のインターロック２０６の第２のインターロック面２３４を画定する。
【０１９７】
内部フランジ２４４は、任意の構成を含むことができる。一実施例として、内部フランジ２４４は、垂直に構成される。一実施例として、内部フランジ２４４は、水平に構成される。一実施例として、内部フランジ２４４は、十字に構成される。一実施例として、内部フランジ２４４は、トラス形状に構成される。
【０１９８】
一実施例として、図１０に最もよく図示されるように、ブレース２００（例えば、ブレース２００のシャーシ２０２）は構造部材２４６を含む。構造部材２４６の各１つが、構造部材２４６の他の１つにその端部で結合される。ブレース２００は、構造部材２４６の間に空き領域又は材料の裂け目を含む。
【０１９９】
一実施例として、外部構造部材２４６は、ブレース２００の面２４０、及び、したがって、ブレース２００の厚さＴを画定する。一実施例として、外部構造部材２４６は、ブレース２００の第１の側部２１８、第２の側部２２０、第１の端部２１４及び第２の端部２１６を形成する。一実施例として、外部フランジ２４４は、第１のインターロック２０４を形成し、例えば、構造部材２４６の外面は、第１のインターロック２０４の第１のインターロック面２３２を画定する。一実施例として、外部構造部材２４６は、例えば構造部材２４６の外面など、第２のインターロック２０６を形成し、第２のインターロック２０６の第２のインターロック面２３４を画定する。
【０２００】
内部構造部材２４６は、任意の構成を含むことができる。一実施例として、内部構造部材２４６は、垂直に構成される。一実施例として、内部構造部材２４６は、水平に構成される。一実施例として、内部構造部材２４６は、十字に構成される。一実施例として、内部構造部材２４６は、トラス形状に構成される。
【０２０１】
例えば、中実であるシャーシ２０２、ウェブ２４２及びフランジ２４４を含むシャーシ２０２、又は構造部材２４６を含むシャーシ２０２など、ブレース２００の特定の構成は、ブレース２００を製作するために使用される材料、ブレース２００を製作するために使用される製造工程、構造１００の重量制限などによって規定され得る。
【０２０２】
ブレース２００を製作するために使用される製造工程は、ブレース２００を製作するために使用される材料に依存する可能性がある。一実施例として、ブレース２００は、鋳造され得る。一実施例として、ブレース２００は、打ち抜きされ得る。一実施例として、ブレース２００は、型に入れて作製され得る。一実施例として、ブレース２００は、機械加工され得る。一実施例として、ブレース２００は、溶接され得る。一実施例として、ブレース２００は、追加的に製造され得る。
【０２０３】
図２を全体的に参照し、特に例えば図４及び図８から図１０を参照すると、ブレース２００は、第１の端部２１４及び第１の端部２１４の反対側の第２の端部２１６を更に備える。ブレース２００は、第１の端部２１４と第２の端部２１６との間に延伸する第１の側部２１８、及び第１の側部２１８の反対側に、第１の端部２１４と第２の端部２１６との間に延伸する第２の側部２２０を更に備える。加えて、ブレース２００は、第１の端部２１４に隣接する２つの第１のコーナ２２２、及び第２の端部２１６に隣接する２つの第２のコーナ２２４を備える。第１のインターロック２０４の第１の１つは、ブレース２００の２つの第１のコーナ２２２の１つに配置され、第１のインターロック２０４の第２の１つは、ブレース２００の２つの第１のコーナ２２２の他の１つに配置される。第２のインターロック２０６の第１の１つは、ブレース２００の２つの第２のコーナ２２４の１つに配置され、第２のインターロック２０６の第２の１つは、ブレース２００の２つの第２のコーナ２２４の他の１つに配置される。このパラグラフの前述の主題事項は、本開示の実施例２９を特徴付け、実施例２９は上記の実施例２８の主題事項を含む。
【０２０４】
第１のインターロック２０４が対向する２つの第１のコーナ２２２に配置されること、及び第２のインターロック２０６が対向する２つの第２のコーナ２２４に配置されることによって、第１のインターロック２０４を第１のストリンガ１０６のストリンガの対Ａの１つに対して適切に配置して、第１のストリンガ１０６のストリンガの対Ａの１つを幾何学的に係合し、第２のインターロック２０６を、ストリンガの対Ａの１つの反対側の第２のストリンガ１０８のストリンガの対Ｂの１つに対して適切に配置して、第２のストリンガ１０８のストリンガの対Ｂの１つに幾何学的に係合する。
【０２０５】
図２を全体的に参照し、特に例えば図４及び図８から図１０を参照すると、ブレース２００は、ブレース２００の第１の側部２１８に沿って第１のブレースフランジ２２６を更に備える。ブレース２００は、ブレース２００の第２の側部２２０に沿って第２のブレースフランジ２２８を更に備える。このパラグラフの前述の主題事項は、本開示の実施例３０を特徴付け、実施例３０は上記の実施例２９の主題事項を含む。
【０２０６】
第１のブレースフランジ２２６及び第２のブレースフランジ２２８は、１つのブレース２００を他のブレース２００に接合する（例えば、結合）ことができる。
【０２０７】
図２を全体的に参照し、特に例えば図８から図１０を参照すると、ブレース２００は、厚さの方向２３０で測定される厚さＴを更に含む。第１のブレースフランジ２２６及び第２のブレースフランジ２２８は、厚さの方向２３０に互いからずれている。このパラグラフの前述の主題事項は、本開示の実施例３１を特徴付け、実施例３１は上記の実施例３０の主題事項を含む。
【０２０８】
ブレース２００の第１のブレースフランジ２２６及び第２のブレースフランジ２２８がずれていることによって、１つのブレース２００及び他のブレース２００が、協働する第１のブレースフランジ２２６及び第２のブレースフランジ２２８に沿って一体に接合されることが可能になる。
【０２０９】
図１及び図２を全体的に参照し、特に例えば図１１及び図１２、並びに図４、及び図８から図１０を参照すると、第１のインターロック２０４の１つは、第１のインターロックの幾何学的形状を少なくとも部分的に画定する第１のインターロック面２３２を備え、第２のインターロック２０６の１つは、第２のインターロックの幾何学的形状を少なくとも部分的に画定する第２のインターロック面２３４を備える。第１のインターロック２０４の１つの第１のインターロック面２３２は、第１のストリンガ１０６の１つの第１のストリンガ面１３６に接触するように構成される。第１のストリンガ面１３６は、第１のインターロックの幾何学的形状に補完的な第１のストリンガの幾何学的形状を少なくとも部分的に画定する。第２のインターロック２０６の１つの第２のインターロック面２３４は、第２のストリンガ１０８の１つの第２のストリンガ面１３８に接触するように構成される。第２のストリンガ面１３８は、第２のインターロックの幾何学的形状に補完的な第２のストリンガの幾何学的形状を少なくとも部分的に画定する。このパラグラフの前述の主題事項は、本開示の実施例３２を特徴付け、実施例３２は上記の実施例２８から３１のいずれかの主題事項を含む。
【０２１０】
第１のインターロック２０４の１つの第１のインターロック面２３２と第１のストリンガ１０６の１つの第１のストリンガ面１３６との間の接触によって、第１のインターロック２０４の１つが、第１のストリンガ１０６のストリンガの対Ａの１つの第１のストリンガ１０６の１つに係合することが可能になり、第２のインターロック２０６の１つの第２のインターロック面２３４と第２のストリンガ面１３８との間の接触によって、第２のインターロック２０６の１つが、第２のストリンガ１０８のストリンガの対Ｂの１つの第２のストリンガ１０８の１つに係合することが可能になる。
【０２１１】
図２を全体的に参照し、特に例えば図８を参照すると、ブレース２００は、第１のインターロック２０４の１つの第１のインターロック面２３２の少なくとも一部分と、及び第２のインターロック２０６の１つの第２のインターロック面２３４の少なくとも一部分との少なくとも一方に塗布される接着剤２３６を更に備える。このパラグラフの前述の主題事項は、本開示の実施例３３を特徴付け、実施例３３は上記の実施例３２の主題事項を含む。
【０２１２】
第１のインターロック２０４の１つの第１のインターロック面２３２の少なくとも一部分を第１のストリンガ１０６の１つの第１のストリンガ面１３６の少なくとも一部分に接着し、第２のインターロック２０６の１つの第２のインターロック面２３４の少なくとも一部分を第２のストリンガ１０８の１つの第２のストリンガ面１３８の少なくとも一部分に接着することによって、第１のストリンガ１０６のストリンガの対Ａの１つ及び第２のストリンガ１０８のストリンガの対Ｂの１つにブレース２００を接合し、第１のストリンガ１０６の１つ及び第２のストリンガ１０８の１つに平行な方向に移動することを防止する。
【０２１３】
一実施例として、図８に最もよく図示されるように、接着剤２３６は、ブレース２００の面２４０の一部分、例えばシャーシ２０２の一部分に塗布される。一実施例として、接着剤２３６は、第１のインターロック２０４の少なくとも１つの第１のインターロック面２３２の少なくとも一部分に塗布され、及び第２のインターロック２０６の少なくとも１つの第２のインターロック面２３４の少なくとも一部分に塗布される。
【０２１４】
図１から図４を全体的に参照し、特に例えば図１３を参照すると、構造１００を製造するための方法５００が開示される。構造１００は、第１のパネル１０２及び第２のパネル１０４を備える。図１３のブロック５０２を参照すると、方法５００は、第１のパネル１０２に結合される、第１のストリンガ１０６のストリンガの対Ａを、第２のパネル１０４に結合される、第２のストリンガ１０８のストリンガの対Ｂに、第１のストリンガ１０６又は第２のストリンガ１０８に垂直な平面１１２に沿ったすべての方向で幾何学的にインターロックするステップによって、第１のパネル１０２と第２のパネル１０４とを相互結合するステップを含む。このパラグラフの前述の主題事項は、本開示の実施例３４を特徴付ける。
【０２１５】
第１のストリンガ１０６のストリンガの対Ａ及び第２のストリンガ１０８のストリンガの対Ｂを幾何学的にインターロックすることによって、機械な締め具の必要をなくすことはないにしても、著しく低減し、したがって、構造１００を製造するステップ（例えば、組立）における時間、費用、複雑さ及び／又は困難さを著しく低減する。
【０２１６】
図１から図４を全体的に参照し、特に例えば図１３（ブロック５０４）を参照すると、方法５００は、ブレース２００を第１のストリンガ１０６のストリンガの対Ａ、及び第２のストリンガ１０８のストリンガの対Ｂに幾何学的にインターロックするステップを更に備える。このパラグラフの前述の主題事項は、本開示の実施例３５を特徴付け、実施例３５は上記の実施例３４の主題事項を含む。
【０２１７】
第１のストリンガ１０６のストリンガの対Ａ及び第２のストリンガ１０８のストリンガの対Ｂをブレース２００に幾何学的にインターロックすることによって、ブレース２００を第１のストリンガ１０６及び／又は第２のストリンガ１０８に機械的に締め付ける、並びに／あるいはブレース２００を第１のパネル１０２及び／又は第２のパネル１０４に機械的に締め付ける必要をなくすことはないにしても、著しく低減し、したがって、構造１００を製造するステップ（例えば、組立）における時間、費用、複雑さ及び／又は困難さを著しく低減する。
【０２１８】
図４、図７及び図８から図１２を全体的に参照し、特に例えば図１３（ブロック５０６）を参照すると、方法５００は、各ブレース２００の第１のインターロック２０４を第１のストリンガ１０６のストリンガの対Ａの１つに幾何学的に係合するステップ、及び各ブレース２００の第２のインターロック２０６を第２のストリンガ１０８のストリンガの対Ｂの１つに幾何学的に係合するステップを更に備える。このパラグラフの前述の主題事項は、本開示の実施例３６を特徴付け、実施例３６は上記の実施例３５の主題事項を含む。
【０２１９】
各ブレース２００の第１のインターロック２０４を第１のストリンガ１０６のストリンガの対Ａの１つに幾何学的に係合するステップ、及び各ブレース２００の第２のインターロック２０６を第２のストリンガ１０８のストリンガの対Ｂの１つに幾何学的に係合するステップによって、各ブレース２００を第１のストリンガ１０６及び／又は第２のストリンガ１０８に締め付ける必要なしに、平面１１２に沿ったすべての方向で各ブレース２００を拘束する。
【０２２０】
一実施例として、図１４及び図１５に最もよく図示されるように、ブレース２００の１つは、構造１００の第１の側部１１８又は第２の側部１２０の１つを通って取り付けられる。一実施例として、ブレース２００の１つは、第１の側部１１８に沿って第１のパネル１０２と第２のパネル１０４との間に画定される開口部、又は第２の側部１２０に沿って第１のパネル１０２と第２のパネル１０４との間に画定される開口部を通って挿入される。
【０２２１】
第２のパネル１０４及び第２のストリンガ１０８（例えば、第２のストリンガ１０８のストリンガの対Ｂ）は、見やすいように図１４及び図１５に図示されていない。図１４及び図１５に図示される構造１００は、第２のパネル１０４及び第２のストリンガ１０８を含む（例えば、第２のストリンガ１０８のストリンガの対Ｂ）であることを理解されたい。
【０２２２】
一実施例として、ブレース２００の１つは、第１のストリンガ１０６のストリンガの対Ａの１つと、第１のストリンガ１０６のストリンガの対Ａの１つの反対側の第２のストリンガ１０８のストリンガの対Ｂの１つとの間に配置される。一実施例として、ブレース２００の１つは、第１のストリンガ１０６のストリンガの対Ａの１つと、第１のストリンガ１０６のストリンガの対Ａの１つの反対側の第２のストリンガ１０８のストリンガの対Ｂの１つとの間に配置される。
【０２２３】
一実施例として、ブレース２００の１つは、第１のストリンガ１０６及び第２のストリンガ１０８に略平行に最初に配置される。ブレース２００の１つは、中心長手方向軸線Ａ（図８）を中心として回転されて、ブレース２００の１つの第１のインターロック２０４を第１のストリンガ１０６のストリンガの対Ａの１つに係合させ、ブレース２００の１つの第２のインターロック２０６を第２のストリンガ１０８の対Ｂの１つに係合させて、図４に最もよく図示されるように、ブレース２００の１つを第１のストリンガ１０６のストリンガの対Ａの１つ及びに第２のストリンガ１０８のストリンガの対Ｂの１つに幾何学的にインターロックする。
【０２２４】
図１、図２、図４及び図５を全体的に参照し、特に例えば図１３（ブロック５０８）を参照すると、方法５００は、各ブレース２００を第１のストリンガ１０６のストリンガの対Ａの１つ、及び第２のストリンガ１０８のストリンガの対Ｂの１つに幾何学的にインターロックして、ブレース２００の列２０８を形成するステップを更に備える。このパラグラフの前述の主題事項は、本開示の実施例３７を特徴付け、実施例３７は上記の実施例３５又は３６のいずれかの主題事項を含む。
【０２２５】
複数の第１のストリンガ１０６（例えば、複数のストリンガの対Ａ）及び複数の第２のストリンガ１０８（例えば、複数のストリンガの対Ｂ）をブレース２００の列２０８に幾何学的にインターロックすることによって、構造１００を製造するステップ（例えば、組立）における時間、費用、複雑さ及び／又は困難さを著しく低減する。
【０２２６】
一実施例として、構造１００はステーション１７０を含む。各ステーション１７０は、第１のストリンガ１０６のストリンガの対Ａの１つ、及び第１のストリンガ１０６のストリンガの対Ａの１つの反対側の第２のストリンガ１０８のストリンガの対Ｂの１つによって画定される。一実施例として、ブレース２００の１つ（例えば、ブレース２００の列２０８のブレース２００の第１の１つ）が、構造１００の横方向中心近傍に（例えば、横方向１２４に）配置されるステーション１７０の１つに取り付けられる。ブレース２００の１つが、構造１００の任意の長手方向の位置（例えば、長手方向１２２に）、例えば第１の端部１１４の近傍、第２の端部１１６の近傍、長手方向の中心近傍又はそれらの間の任意の位置に配置され得る。
【０２２７】
ブレース２００の別の１つが、第１の側部１１８又は第２の側部１２０の１つを通って取り付けられる。ブレース２００の別の１つが、ステーション１７０の１つに横方向に隣接するステーション１７０の別の１つに取り付けられて、ブレース２００の別の１つがブレース２００の１つに横方向に隣接するようにする。
【０２２８】
一実施例として、図１５に最もよく図示されるように、ブレース２００の別の１つは、構造１００の第１の側部１１８又は第２の側部１２０の１つを通って取り付けられる。一実施例として、ブレース２００の別の１つは、第１の側部１１８に沿って第１のパネル１０２と第２のパネル１０４との間に画定される開口部、又は第２の側部１２０に沿って第１のパネル１０２と第２のパネル１０４との間に画定される開口部を通って挿入される。
【０２２９】
一実施例として、ブレース２００の別の１つは、第１のストリンガ１０６のストリンガの対Ａの別の１つと、第１のストリンガ１０６のストリンガの対Ａの１つの反対側の第２のストリンガ１０８のストリンガの対Ｂの別の１つとの間に配置され、例えば、ステーション１７０の別の１つを画定する。一実施例として、ブレース２００の別の１つは、第１のストリンガ１０６のストリンガの対Ａの別の１つと、第１のストリンガ１０６のストリンガの対Ａの別の１つの反対側の第２のストリンガ１０８のストリンガの対Ｂの別の１つとの間に配置される。
【０２３０】
一実施例として、ブレース２００の別の１つは、第１のストリンガ１０６及び第２のストリンガ１０８に略平行に最初に配置される。ブレース２００の別の１つは、中心長手方向軸線Ａ（図８）を中心として回転されて、ブレース２００の別の１つの第１のインターロック２０４を第１のストリンガ１０６の対Ａの別の１つに係合させ、ブレース２００の別の１つの第２のインターロック２０６を第２のストリンガ１０８の対Ｂの別の１つに係合させて、図５に最もよく図示されるように、ブレース２００の別の１つを第１のストリンガ１０６の対Ａの別の１つ及びに第２のストリンガ１０８の対Ｂの別の１つに幾何学的にインターロックする。
【０２３１】
一実施例として、構造１００は、例えば長手方向１２２及び／又は横方向１２４の少なくとも１つに、一定の横断面を含む。そのような実施例では、構造１００が一定の長手方向の横断面を含む場合、任意の長手方向の位置（例えば、長手方向１２２のステーション１７０の１つと同じ位置）に配置されるブレース２００の各１つは、同じ寸法及び／又は形状を含むことができる。そのような実施例では、構造１００が一定の横方向の横断面を含む場合、任意の横方向の位置（例えば、横方向１２４のステーション１７０の各１つ）に配置されるブレース２００の各１つは、同じ寸法及び／又は形状を含むことができる。そのような実施例では、構造１００が一定の長手方向の横断面及び一定の横方向の横断面を含む場合、任意の長手方向の位置及び任意の横方向の位置に配置されるブレース２００の各１つは、同じ寸法及び／又は形状を含むことができる。
【０２３２】
一実施例として、構造１００は、例えば長手方向１２２及び／又は横方向１２４の少なくとも１つに、可変の横断面を含む。一実施例として、航空機の翼は、翼弦方向及び／又は翼長方向の少なくとも１つに可変の横断面（例えば、湾曲）を含むことができる。そのような実施例では、構造１００が可変の長手方向の横断面を含む場合、任意の長手方向の位置に配置されるブレース２００の各１つ（例えば、長手方向１２２のステーション１７０の同じ１つ）は、異なる寸法及び／又は形状を含むことができる。そのような実施例では、構造１００が可変の横方向の横断面を含む場合、任意の横方向の位置に配置されるブレース２００の各１つ（例えば、横方向１２４のステーション１７０の各１つ）は、異なる寸法及び／又は形状を含むことができる。そのような実施例では、構造１００が可変の長手方向の横断面及び可変の横方向の横断面を含む場合、任意の長手方向の位置及び任意の横方向の位置に配置されるブレース２００の各１つは、異なる寸法及び／又は形状を含むことができる。したがって、そのような実施例では、ブレース２００の各１つは、特定の長手方向及び／又は横方向の箇所に関連付けられる適切な（例えば、特有の）寸法及び／又は形状を含む。
【０２３３】
図１、図２、図４及び図５を全体的に参照し、特に例えば図１３（ブロック５１０）を参照すると、方法５００は、構造１００の第１の側部１１８と第２の側部１２０との間に横方向１２４に、ブレース２００の列２０８の１つを延伸するステップを更に備える。このパラグラフの前述の主題事項は、本開示の実施例３８を特徴付け、実施例３８は上記の実施例３７の主題事項を含む。
【０２３４】
横方向１２４に、ブレース２００の列２０８の１つを延伸するステップによって、横方向に沿って第２のパネル１０４に対して第１のパネル１０２を適切に配置し、維持する。
【０２３５】
一実施例として、ブレース２００の追加の１つが、第１の側部１１８又は第２の側部１２０の１つを通って取り付けられる。ブレース２００の１つが既に取り付けられているステーション１７０の１つに横方向に隣接するステーション１７０の他の１つに、ブレース２００の追加のブレースが、取り付けられる。一実施例として、ブレース２００の取り付けが中心で開始し、追加のブレース２００が取り付けられ、第１の側部１１８及び第２の側部１２０の方へ横方向１２４に外側へ延伸する。
【０２３６】
一実施例として、例えば、第１のパネル１０２と第２のパネル１０４との間にブレース２００を挿入するステップ、第１のストリンガ１０６の対Ａと第２のストリンガ１０８の対Ｂとの間にブレース２００を配置するステップ、及びブレース２００を回転させて、ブレース２００を第１のストリンガ１０６のストリンガの対Ａ及び第２のストリンガ１０８のストリンガの対Ｂに幾何学的にインターロックするステップなど、ブレース２００の取り付けが、自動化システム（図示せず）によって実施される。一実施例として、自動化システムはロボットである。ロボットは、ブレース２００の各１つを把持し、ブレース２００の各１つを移動し、ブレース２００の各１つを配置し、及び／又はブレース２００の各１つを第１のストリンガ１０６の対Ａ及び第２のストリンガ１０８の対Ｂに幾何学的にインターロックするために、ブレース２００の各１つを回転させるように構成されているエンドエフェクタを含むことができる。
【０２３７】
図１、図２、図４及び図５を全体的に参照し、特に例えば図１３（ブロック５１２）を参照すると、方法５００は、ブレース２００の列２０８の１つのブレース２００の１つをブレース２００の列２０８の１つのブレース２００の他の１つに結合するステップを更に含む。このパラグラフの前述の主題事項は、本開示の実施例３９を特徴付け、実施例３９は上記の実施例３７又は３８のいずれかの主題事項を含む。
【０２３８】
ブレース２００の列２０８のブレース２００の１つをブレース２００の列２０８のブレース２００の他の１つに結合することによって、ブレース２００の列２０８のブレース２００の１つを固定して、ブレース２００の列２０８のブレース２００の１つがブレース２００の列２０８のブレース２００の他の１つに対して移動することを防止する。
【０２３９】
一実施例として、自動化システム、例えばロボットは、ブレース２００の列２０８のブレース２００の各１つをブレース２００の列２０８のブレース２００の他の１つに結合する。
【０２４０】
一実施例として、ロボットは、各ブレース２００の第１のブレースフランジ２２６及び第２のブレースフランジ２２８を通る締め具穴を位置決めし、機械加工し、締め具穴を通って締め具を取り付けて、ブレース２００の列２０８のブレース２００の１つをブレース２００の列２０８のブレース２００の他の１つに機械的に結合するように構成される。
【０２４１】
一実施例として、ロボットは、各ブレース２００の第１のブレースフランジ２２６及び第２のブレースフランジ２２８に接着剤１３４を塗布して、ブレース２００の列２０８のブレース２００の１つをブレース２００の列２０８のブレース２００の他の１つに接着するように構成される。一実施例として、ロボットは、接着剤１３４を硬化するように構成されるエンドエフェクタを含む。
【０２４２】
一実施例として、ロボットは、各ブレース２００の第１のブレースフランジ２２６及び第２のブレースフランジ２２８を溶接して、ブレース２００の列２０８のブレース２００の１つをブレース２００の列２０８のブレース２００の他の１つに剛体的に接合するように構成される。一実施例として、ロボットは、接着剤１３４を硬化するように構成されるエンドエフェクタを含む。
【０２４３】
図１から図５及び図７を全体的に参照し、特に例えば図１３（ブロック５１４）を参照すると、方法５００は、構造１００の第１の側部１１８に沿って第１のパネル１０２及び第２のパネル１０４に第１の翼桁１２６を結合するステップを更に含む。方法５００は、構造１００の第２の側部１２０に沿って第１のパネル１０２及び第２のパネル１０４に第２の翼桁１２８を結合するステップを更に含む。追加的に、方法５００は、ブレース２００の各列２０８を第１の翼桁１２６及び第２の翼桁１２８を結合するステップを含む。このパラグラフの前述の主題事項は、本開示の実施例４０を特徴付け、実施例４０は上記の実施例３７から３９のいずれかの主題事項を含む。
【０２４４】
第１の翼桁１２６及び第２の翼桁１２８を第１のパネル１０２及び第２のパネル１０４に結合することによって、例えば、それぞれ構造１００の第１の側部１１８及び第２の側部１２０に沿って構造１００を取り囲み、構造１００に剛性を加える。ブレース２００の列２０８を第１の翼桁１２６及び第２の翼桁１２８に結合することによって、ブレース２００の列２０８が移動することを防止し、構造１００に剛性及び荷重担持能力を加える。
【０２４５】
一実施例として、すべてのブレース２００が第１のストリンガ１０６のストリンガの対Ａ及び第２のストリンガ１０８のストリンガの対Ｂに幾何学的にインターロックされ、任意のブレース２００が他のブレース２００に結合され、ブレース２００の任意の列２０８が取り付けられ、ブレース２００の列２０８の配列２１２が取り付けられ、及び／又は気密シール１３４が形成されてしまった後に、第１の翼桁１２６及び第２の翼桁１２８を第１のパネル１０２及び第２のパネル１０４に結合するステップが実施される。
【０２４６】
図１から図３、図５及び図７を全体的に参照し、特に例えば図１３（ブロック５１６）を参照すると、方法５００は、２つの端部ブレース２１０の第１の１つをブレース２００の列２０８の１つのブレース２００の１つに結合するステップを更に含む。方法５００は、２つの端部ブレース２１０の第２の１つをブレース２００の列２０８の１つのブレース２００の他の１つに結合するステップを更に含む。追加的に、方法５００は、２つの端部ブレース２１０の第１の１つを第１の翼桁１２６に結合するステップ、及び２つの端部ブレース２１０の第２の１つを第２の翼桁１２８に結合するステップを更に含む。このパラグラフの前述の主題事項は、本開示の実施例４１を特徴付け、実施例４１は上記の実施例４０の主題事項を含む。
【０２４７】
ブレース２００の列２０８と第１の翼桁１２６及び第２の翼桁１２８のそれぞれ１つとの間に２つの端部ブレース２１０の１つを結合することによって、ブレース２００の列２０８と第１の翼桁１２６及び第２の翼桁１２８とを相互結合して、ブレース２００の列２０８の移動を防止し、構造１００に剛性又は荷重担持能力を与える。
【０２４８】
一実施例として、２つの端部ブレース２１０の各１つをブレース２００の列２０８の１つのブレース２００の１つに結合するステップは、第１の翼桁１２６及び第２の翼桁１２８を第１のパネル１０２及び第２のパネル１０４に結合するステップの前に実施される。一実施例として、２つの端部ブレース２１０の１つを第１の翼桁１２６に結合するステップ、及び２つの端部ブレース２１０の他の１つを第２の翼桁１２８に結合するステップは、第１の翼桁１２６及び第２の翼桁１２８を第１のパネル１０２及び第２のパネル１０４に結合するステップの後に実施される。一実施例として、図３に最もよく図示されるように、第１の翼桁１２６は第１のアクセス開口部１７２を含み、第２の翼桁１２８は第２のアクセス開口部１７４を含む。一実施例として、第１のアクセス開口部１７２は第１の翼桁フランジ１３０近傍で第１の翼桁１２６の壁部分１５２を通って配置され、第２のアクセス開口部１７４は第２の翼桁フランジ１３２近傍で第２の翼桁１２８の壁部分１５２を通って配置される。第１のアクセス開口部１７２及び第２のアクセス開口部１７４は、２つの端部ブレース２１０のそれぞれを第１の翼桁１２６及び第２の翼桁１２８に結合するステップのためのアクセスを提供するように構成される（例えば、適切に寸法形成され、及び／又は成形される）。一実施例として、適切なエンドエフェクタを含むロボットが、第１のアクセス開口部１７２又は第２のアクセス開口部１７４を通って挿入されて、２つの端部ブレース２１０の１つを第１の翼桁フランジ１３０の１つ又は第２の翼桁フランジ１３２の１つに結合する。
【０２４９】
図１、図２、及び図４から図７を全体的に参照し、特に例えば図１３（ブロック５１８）を参照すると、方法５００は、構造１００の第１の端部１１４と第２の端部１１６との間に、長手方向１２２に延伸する配列２１２の中にブレース２００の列２０８を配置するステップを更に備える。このパラグラフの前述の主題事項は、本開示の実施例４２を特徴付け、実施例４２は上記の実施例４０又は４１のいずれかの主題事項を含む。
【０２５０】
長手方向１２２に延伸する配列の中にブレース２００の列２０８を配置することによって、長手方向に沿って第２のパネル１０４に対して第１のパネル１０２を適切に配置し、維持する。
【０２５１】
全体的に図１、図２及び図５を参照し、特に例えば図１３を参照すると（ブロック５２０）、方法５００は、ブレース２００の少なくとも２つの列２０８と、第１のパネル１０２、第２のパネル１０４、第１のストリンガ１０６、第２のストリンガ１０８、第１の翼桁１２６及び第２の翼桁１２８との間に気密シール１３４を付着するステップを更に備える。このパラグラフの前述の主題事項は、本開示の実施例４３を特徴付け、実施例４３は上記の実施例４２の主題事項を含む。
【０２５２】
ブレース２００の少なくとも２つの列２０８と、第１のパネル１０２、第２のパネル１０４、第１のストリンガ１０６、第２のストリンガ１０８、第１の翼桁１２６及び第２の翼桁１２８との間に気密シール１３４を付着することによって、ブレース２００の少なくとも２つの列２０８と、第１のパネル１０２、第２のパネル１０４、第１のストリンガ１０６、第２のストリンガ１０８、第１の翼桁１２６及び第２の翼桁１２８とを密接に閉じ、一体にする。
【０２５３】
図１、図２及び図５を全体的に参照し、特に例えば図１３（ブロック５２２）を参照すると、方法５００は、ブレース２００の２つの列２０８のブレース２００の間に気密シール１３４を付着するステップを更に備える。このパラグラフの前述の主題事項は、本開示の実施例４４を特徴付け、実施例４４は上記の実施例４３の主題事項を含む。
【０２５４】
気密シール１３４をブレース２００の少なくとも２つの列２０８のブレース２００の間に付着することによって、ブレース２００の少なくとも２つの列２０８のブレース２００を密接に閉じ、一体にする。
【０２５５】
一実施例として、自動化システム、例えばロボットが、気密シール１３４をブレース２００の少なくとも２つの列２０８と、第１のパネル１０２、第２のパネル１０４、第１のストリンガ１０６、第２のストリンガ１０８、第１の翼桁１２６及び第２の翼桁１２８との間、並びに／あるいはブレース２００の少なくとも２つの列２０８のブレース２００の間に付着するように構成されて、封止された区画１６８（図６）を形成する。
【０２５６】
図１から図５、図７、図１１及び図１２を全体的に参照し、特に例えば図１３（ブロック５２４）を参照すると、方法５００は、ブレース２００の１つを第１のストリンガ１０６のストリンガの対Ａの１つ、及び第２のストリンガ１０８のストリンガの対Ｂの１つに接着するステップを更に備える。このパラグラフの前述の主題事項は、本開示の実施例４５を特徴付け、実施例４５は上記の実施例３５から４４のいずれかの主題事項を含む。
【０２５７】
ブレース２００の少なくとも１つを第１のストリンガ１０６のストリンガの対Ａ及び第２のストリンガ１０８のストリンガの対Ｂの少なくとも１つに接着することによって、第１のストリンガ１０６及び第２のストリンガ１０８に平行な方向へブレース２００の少なくとも１つを拘束する。
【０２５８】
一実施例として、自動化システム、例えばロボットが、第１のストリンガ１０６のストリンガの対Ａ、及び第２のストリンガ１０８のストリンガの対Ｂの少なくとも１つにブレース２００の少なくとも１つを接着するように構成される。
【０２５９】
図１から図５、図７、図１１及び図１２を全体的に参照し、特に例えば図１３（ブロック５２６）を参照すると、方法５００は、ブレース２００の１つを第１のストリンガ１０６のストリンガの対Ａの１つ、及び第２のストリンガ１０８のストリンガの対Ｂの１つに機械的に結合するステップを更に備える。このパラグラフの前述の主題事項は、本開示の実施例４６を特徴付け、実施例４６は上記の実施例３５から４５のいずれかの主題事項を含む。
【０２６０】
ブレース２００の少なくとも１つを第１のストリンガ１０６のストリンガの対Ａ及び第２のストリンガ１０８のストリンガの対Ｂの少なくとも１つに機械的に結合することによって、第１のストリンガ１０６及び第２のストリンガ１０８に平行な方向へブレース２００の少なくとも１つを拘束する。
【０２６１】
一実施例として、自動化システム、例えばロボットが、第１のストリンガ１０６のストリンガの対Ａ、及び第２のストリンガ１０８のストリンガの対Ｂの少なくとも１つにブレース２００の少なくとも１つを機械的に結合するように構成される。
【０２６２】
本開示の実施形態が、図１６に示す航空機の製造及び保守点検方法１１００、並びに図１７に示す航空機１１０２の文脈で説明され得る。量産初回中、例示的な方法１１００は、航空機１１０２の仕様及び設計ブロック１１０４、並びに材料調達ブロック１１０６を含むことができる。製造中、構成要素及び部分組立品の製造ブロック１１０８及び航空機１１０２のシステム統合ブロック１１１０が行われることができる。その後、航空機１１０２は、就航中ブロック１１１４の中に配置されるために、認証及び搬送ブロック１１１２を経ることができる。就航中、航空機１１０２は、整備及び保守点検ブロック１１１６の作業を予定に入れることができる。整備及び保守点検作業は、航空機１１０２の１つ又は複数のシステムの修正、再構成、改修などを含むことができる。
【０２６３】
例示的な方法１１００の各工程は、システムインテグレータ、第三者及び／又は操作者（例えば、顧客）によって、実施又は実行され得る。この説明の目的のために、システムインテグレータは、限定されないが、任意の数の航空機製造者及び主システム下請人を含むことができ、第三者は、限定されないが、任意の数の売主、下請人及び供給者を含むことができ、操作者は、航空会社、リース会社、軍事会社、サービス機構などであることができる。
【０２６４】
図１７に示すように、例示的な方法１１００によって製造される航空機１１０２は、複数の高レベルシステム１１２０及び内部１１２２を含む機体１１１８を備えることができる。高レベルシステム１１２０の実施例は、推進システム１１２４、電気システム１１２６、油圧システム１１２８及び環境システム１１３０の１つ又は複数を含む。任意の数の他のシステムを含むことができる。航空宇宙の実施例が示されるが、本明細書に開示される原則は、自動車産業、船舶産業、建設産業、土木工学又は軍事用途など、他の産業に応用され得る。したがって、航空機１１０２に加えて、本明細書に開示される原則は、例えば、陸上自動車、海上乗物、宇宙飛行体など、又は例えば、プレハブ囲い、仮橋など、他の構造物に応用することができる。
【０２６５】
本明細書で図示され、説明される装置及び方法は、製造及び保守点検方法１１００の１つ又は複数の段階の間に採用され得る。例えば、構成要素及び部分組立品の製造ブロック１１０８に相当する構成要素又は部分組立品は、航空機１１０２が就航中ブロック１１１４の間に製造される構成要素及び部分組立品と同様の方法で製作又は製造され得る。更に、装置、方法又はその組合せの１つ又は複数の実施例が、例えば航空機１１０２の組立を実質的に促進し、又は航空機１１０２の費用を低減することによって、製造段階１１０８及び１１１０の間に利用され得る。同様に、装置又は方法の実現、又はその組合せの１つ又は複数の実施例が、航空機１１０２が就航中ブロック１１１４にある間、及び／又は整備及び保守点検ブロック１１１６中に利用され得る。
【０２６６】
本明細書で開示される装置及び方法の様々な実施例は、様々な構成要素、形態及び機能性を含む。本明細書で開示される装置及び方法の様々な実施例は、任意の組合せで本明細書で開示される装置及び方法の任意の他の実施例の任意の構成要素、形態及び機能性を含む様々な構成要素、形態及び機能性を含むことができ、そのようなすべての可能性が、本開示の精神及び範囲内であると意図されることを理解すべきである。
【０２６７】
本明細書で述べる実施例の多くの修正形態が、前述の説明及び関連する図面の中で提示される教示の恩恵を有する、本開示に関係する当業者に思い浮かぶであろう。
【０２６８】
したがって、本開示は、図示される特定の実施例に限定されず、修正形態及び他の実施例が、添付の特許請求の範囲内に含まれると意図されることを理解すべきである。更に、前述の説明及び関連する図面は、要素及び／又は機能の特定の例示的な組合せの文脈の中で本開示の実施例を説明するが、要素及び／又は機能の様々な組合せが、添付の特許請求の範囲から逸脱せずに代替の実施によって提供され得ることを理解すべきである。したがって、添付の特許請求の範囲の中の限定する参照符号は、例示の目的だけのために提示され、特許請求される主題事項の範囲を本開示の中で提供される特定の実施例に限定することを意図されない。
【符号の説明】
【０２６９】
１００  構造
１０２  第１のパネル
１０４  第２のパネル
１０６  第１のストリンガ
１０８  第２のストリンガ
１１４  第１の端部
１１６  第２の端部
１１８  第１の側部
１２０  第２の側部
１２２  長手方向
１２４  横方向
１２６  第１の翼桁
１２８  第２の翼桁
１３０  第１の翼桁フランジ
１３２  第２の翼桁フランジ
１３４  気密シール、接着剤
１３６  第１のストリンガ面
１３８  第２のストリンガ面
１４０  第１のフット
１４２  第１のウェブ
１４４  第１のクラウン
１４６  第２のフット
１４８  第２のウェブ
１５０  第２のクラウン
１５２  壁部分
１５４  第１のタブ部分
１５６  第２のタブ部分
２００  ブレース
２０２  シャーシ
２０４  第１のインターロック
２０６  第２のインターロック
２０８  列
２１０  端部ブレース
２１４  第１の端部
２１６  第２の端部
２１８  第１の側部
２２０  第２の側部
２２２  第１のコーナ
２２４  第２のコーナ
【図１】
0006714363.tif 000002
【図２】
0006714363.tif 000003
【図３】
0006714363.tif 000004
【図４】
0006714363.tif 000005
【図５】
0006714363.tif 000006
【図６】
0006714363.tif 000007
【図７】
0006714363.tif 000008
【図８】
0006714363.tif 000009
【図９】
0006714363.tif 000010
【図１０】
0006714363.tif 000011
【図１１】
0006714363.tif 000012
【図１２】
0006714363.tif 000013
【図１３Ａ】
0006714363.tif 000014
【図１３Ｂ】
0006714363.tif 000015
【図１４】
0006714363.tif 000016
【図１５】
0006714363.tif 000017
【図１６】
0006714363.tif 000018
【図１７】
0006714363.tif 000019